(57)【特許請求の範囲】
【請求項１】
少なくとも１つの動脈の剛性に関連する生物的もしくは生理的態様を判定するシステムであって、
身体の動き及びユーザの心臓の機械的な出力の少なくとも一方及び前記ユーザの大動脈を通る血液の機械的な動きを示す心臓に関連する信号を、体重計の上に前記ユーザが起立している間に、立位の前記ユーザから取得するように構成され配置されている第１のセンサを含み、統合する前記体重計と、
前記ユーザが前記体重計の上に起立している間に、末梢動脈位置における、前記ユーザの動脈もしくは器官の体積変化の測定値を含む前記ユーザの特性を検出するように構成され配置されている第２のセンサと、
前記第１のセンサ及び第２のセンサから提供される情報を処理するように構成され配置されている論理回路と、
を備え、
前記論理回路は、前記大動脈の上行部分の圧脈拍、末梢動脈位置での前記ユーザの前記特性及び前記大動脈及び前記末梢動脈位置の間の距離を示す前記心臓に関連する信号の部分に基づいて、動脈の脈波速度を生成するように構成され配置されており、
前記動脈の脈波速度は前記動脈の剛性に関連する生物的もしくは生理的態様を示す、
システム。
【請求項２】
前記第１のセンサの上に前記ユーザが起立している間、前記ユーザの体重を出力するように構成されているディスプレイと、
前記論理回路に、前記体重計をわたる重量配分の指標を提供するように構成されている力センサのセットを含む補助センサと、
を備える、請求項１に記載のシステム。
【請求項３】
前記第２のセンサは、前記ユーザの大腿動脈もしくは前記大腿動脈の下にある末梢動脈位置のフォトプレチスモグラフィ特性を取得するように構成されている、
請求項１に記載のシステム。
【請求項４】
前記心臓に関連する信号に含まれる少なくとも１つの雑音の指標を検出するように構成され配置されている補助センサをさらに備え、
前記論理回路は、前記心臓に関連する信号に含まれる前記雑音を除去することによって前記心臓に関連する信号を処理するように構成され配置されている、
請求項１に記載のシステム。
【請求項５】
補助センサは、前記ユーザから心電図信号を検出し、検出された前記心電図信号を特徴付ける出力を提供するように構成され配置されている心電図センサを含み、
前記論理回路は、心弾動図信号を生成するために、前記心臓に関連する信号をフィルタリングし平均化することによって、前記信号に関連する信号を処理することによって、取得した前記心臓に関連する信号を処理するために、前記補助センサの出力を使用するように構成されている、
請求項３に記載のシステム。
【請求項６】
脈拍タイミングから中心大動脈の剛性及び末梢動脈の剛性を導出するためにＴ１信号と共に複数のフォトプレチスモグラフィ・センサを使用する、請求項１に記載のシステム。
【請求項７】
脈拍タイミングから中心大動脈の剛性及び末梢動脈の剛性を導出するためにＴ１信号と共に複数の圧力センサが使用される、請求項１に記載のシステム。
【請求項８】
検出されるフォトプレチスモグラフィ信号を用いて検出される前記心臓に関連する信号の集合平均もしくはトリガ移動平均を生成することによって、心弾動図信号を生成するように構成されている、請求項１に記載のシステム。
【請求項９】
前記補助センサは、ユーザ環境の雑音を検出するように構成されている雑音センサ及び前記ユーザの心臓の生理的特性を検出するように構成されている心臓特性センサを含み、
前記論理回路は、前記心臓に関連する信号の雑音を軽減するために検出された前記雑音を用いることによって、及び前記心臓に関連する信号を変更するために検出された前記心臓の特性を使用することによって、心弾動図信号を生成するように構成されている、
請求項２に記載のシステム。
【請求項１０】
前記第１及び第２のセンサは、前記体重計に統合され、
補助センサが前記体重計に接続されているハンドグリップ電極に統合され、
前記ハンドグリップ電極及び補助センサは、前記ユーザの心電図もしくはフォトプレチスモグラフィ特性の少なくとも一方を検出するように構成されている、
請求項３に記載のシステム。
【請求項１１】
末梢血圧センサをさらに含み、
プロセッサを含む前記論理回路は、
前記プロセッサが中心圧を判定するために前記末梢血圧センサの出力を使用し、
経時的に心弾動図信号を生成し、
動脈の剛性及び中心／末梢圧の差異の少なくとも１つの指標を提供する、
ように構成されている、
請求項１に記載のシステム。
【請求項１２】
前記体重計は、ＲＭＳ心弾動図データ及び集合平均心弾動図振幅データの少なくとも一方を含むベースライン・データを記憶する、メモリを含み、
前記論理回路は、記憶された前記ベースライン・データに基づいて出力心弾動図信号を生成するように構成されている、
請求項１０に記載のシステム。
【請求項１３】
前記論理回路は、前記ユーザの治療法を判定するために有用な期間にわたって、前記ユーザの心血管特性及び／もしくは体重の記録された変化を使用するように構成されている、
請求項１２に記載のシステム。
【請求項１４】
前記第１及び第２のセンサは前記体重計に統合され、
補助センサが前記体重計に接続されている脱着可能なコンポーネントに統合され、前記ユーザのフォトプレチスモグラフィ特性を検出するように構成されており、
前記論理回路は、経時的に心弾動図信号を生成し、動脈の剛性及び中心／末梢圧の差異の少なくとも一方の指標を提供するように構成されている、
請求項１に記載のシステム。
【請求項１５】
前記ユーザから検出される特性を用いてＥＣＧ信号を生成するように構成されている補助センサをさらに備え、
前記論理回路は、前記ＥＣＧ信号に基づいて、心弾動図信号を生成するために使用される変形関数の係数を変更するように構成されている、
請求項１に記載のシステム。
【請求項１６】
前記第２のセンサは、下行大動脈のＴ２タイミングを取得するために、足−足ＩＣＧセンサを含む、請求項３に記載のシステム。
【請求項１７】
Ｔ１タイム・ポイントを取得するために、手−手インピーダンス心拍動曲線センサをさらに含む、請求項３に記載のシステム。
【請求項１８】
前記心臓に関連する信号は大動脈弓近傍の力を示し、
前記論理回路は、動脈の老化に前記動脈の脈波速度を関係付けるように構成されている、
請求項１に記載のシステム。
【請求項１９】
ユーザが体重計の上に起立している間に、ユーザの手−手インピーダンス心拍動曲線を検出するように構成され配置されている第１のセンサと、
前記ユーザが前記体重計の上に起立している間に、前記ユーザの動脈もしくは器官の体積変化の光学的測定を含む、末梢動脈位置における前記ユーザの特性を検出するように構成され配置されている第２のセンサと、
プロセッサと、
を備え、
前記プロセッサが、
前記手−手インピーダンス心拍動曲線から、前記ユーザの大動脈の上行大動脈の圧脈波を示すＴ１信号を生成し、
前記Ｔ１信号、検出された前記手−手インピーダンス心拍動曲線及び大動脈と末梢動脈位置との間の距離の関数として動脈の脈波速度を判定する、
体重計、
を備える、システム。
【請求項２０】
センサを統合する体重計を用いて、ユーザが前記体重計の上に起立している間であって、前記ユーザが立位である間、前記ユーザの大動脈を通る血液の機械的な動きを示す心弾動図もしくは手−手インピーダンス心拍動曲線のＴ１信号を取得し、
動脈の脈波速度を判定することができるように、前記ユーザが体重計の上に起立している間に前記ユーザの大動脈に対して十分末梢である位置で圧脈拍を検出し、
プロセッサが、
前記Ｔ１信号に対応するタイミング及び前記圧脈拍のタイミングを用いて前記動脈の脈波速度を判定する、
ことによって、動脈の剛性測定値を生成する、
方法。
【請求項２１】
前記圧脈拍を検出することは、前記プロセッサがユーザの四肢で前記圧脈拍を検出することを含む、請求項２０に記載の方法。
【請求項２２】
前記心弾動図の信号を取得することは、前記プロセッサが前記ユーザの足に及ぼされる下向きの圧力の変化を測定することを含む、請求項２０に記載の方法。
【請求項２３】
前記プロセッサが、脈波速度及び血圧の変化の所定の関係を用いることによって血圧の変化を判定することをさらに含む、請求項２０に記載の方法。
【請求項２４】
ユーザの足に及ぼされる圧力から心弾動図信号を取得し、
前記足の動脈から圧脈拍を取得し、
前記心弾動図信号及び前記圧脈拍に対応するタイミングを比較する、
ことによって、プロセッサが前記ユーザの動脈の脈波速度を判定する、
方法。
【請求項２５】
ユーザに循環機能の態様を通信するための統合ディスプレイと、
ケア・ワーカに未処理データ及び計算済みパラメータを提供するように構成されているインターフェイスと、
をさらに備える、請求項１９に記載のシステム。
【請求項２６】
前記足の動脈から圧脈拍を取得することは、前記ユーザの大腿動脈の下の位置で圧脈拍を検知するセンサを用いることを含む、
請求項２４に記載の方法。
【発明の詳細な説明】
【技術分野】
【０００１】
本開示は、一般に、循環機能を観察することに関し、特定の例において、動脈硬化及び中心動脈血圧の検出のためのシステム及び方法に関する。
【背景技術】
【０００２】
高血圧は、総体的に、心血管疾患（ＣＶＤ）のリスクへの主要な原因である。世界中の卒中の５４％及び虚血性心疾患（ＩＨＤ）の４７％のケースが高血圧を原因とする。主に、国民がより高齢になり、より肥満化してきている結果、米国だけでも、高血圧は４分の１を大きく越える人口に影響を及ぼしている。高血圧の適切な管理はＣＶＤリスクを大きく低減することができる。しかし、高血圧の変化を診断するため、及び、観察するために利用可能なテストの数は限られており、慢性的な高血圧の潜在的な原因は多い。
【０００３】
高血圧及びＣＶＤリスクに関連する他の循環系の問題は動脈の老化である。動脈の老化は、動脈壁を硬化し、血圧の上昇、左室肥大、心筋梗塞、脳卒中及び腎不全を含む多数の心血管障害と余病の主因と考えられる。
【０００４】
以下の非特許文献は、様々なサポートするマテリアル及び教示を提供し、参照によって、全体がここに含まれる。
【先行技術文献】
【特許文献】
【０００５】
【特許文献１】米国特許出願公開第２０１０／００９４１４７号
【非特許文献】
【０００６】
【非特許文献１】アラメツサ(Alametsa）ら、「座位及び水平位置における心弾動図記録法（Ballistocardiography in sitting and horizontal positions）」、生理学的測定（Physiological （生理学的）Measurement）、２００８年、第２９巻、頁１０７１
【非特許文献２】アラメツサ(Alametsa）ら、「加速及び電気機械フィルム・センサによる心弾動図研究（Ballistocardiogaphic studies with acceleration and electromechanical film sensors）」、医用工学及び物理（Medical engineering & physics）、２００９年、第３１巻、頁１１５４〜１１６５
【非特許文献３】アレン(Allen）、「臨床生理学的測定におけるフォトプレチスモグラフィ及びその応用（Photoplethysmography and its application in clinical physiological （生理学的）measurement）」、生理学的測定（Physiological （生理学的）Measurement）、２００７年、第２８巻、頁Ｒ１
【非特許文献４】アボリオ(Avolio）ら、「動脈メディアのエラスチンの構造及び機能の変化の定量化（Quantification of alterations in structure and function of elastin in the arterial Media）」、高血圧（Hypertension）、１９９８年、第３２巻、頁１７０〜１７５
【非特許文献５】ブラチャー（Blacher）ら、「高血圧患者の心血管リスクのマーカとしての大動脈の脈波速度（Aortic Pulse Wave Velocity as a Marker of Cardiovascular Risk in Hypertensive Patients）」、高血圧（Hypertension）、１９９９年、第３３巻、頁１１１１〜１１１７
【非特許文献６】ウィリアムズ（Williams）ら、「中心大動脈圧への血圧低下薬の特異な影響及び臨床成果：導管動脈機能評価（ＣＡＦＥ）研究の主な結果（Differential Impact of Blood Pressure-Lowering Drugs on Central Aortic Pressure and Clinical Outcomes: Principal Results of the Conduit Artery Function Evaluation (CAFE) Study）」、循環（Circulation）、２００６年、第１１３巻、頁１２１３〜１２２５
【非特許文献７】ダヴィ（Davies）ら、「脈波分析及び脈波速度：その長所及び短所のクリティカルレビュー（Pulse wave analysis and Pulse wave velocity: a critical review of their strengths and weaknesses）」、高血圧（Hypertension）、２００３年、第２１巻、頁４６３〜４７２
【非特許文献８】デローチ（DeLoach）ら、「血管の剛性：その測定及び疫学的重要性と結果についての研究（Vascular Stiffness: Its Measurement and Significance for Epidemiologic and Outcome Studies）」、腎臓病学米国ソサエティ臨床ジャーナル（Clinical Journal of the American Society of Nephrology）、２００８年、第３巻、頁１８４〜１９２
【非特許文献９】フィンケルシュタイン（Finkelstein）ら、「血管の柔軟性を判断するための１次及び３次モデル（First- and third-order models for determining arterial compliance）」、高血圧（Hypertension）、１９９２年、第１０巻、頁Ｓ１１〜Ｓ１４
【非特許文献１０】カプラン（Kaplan）ら、「カプランの臨床高血圧（Kaplan’s Clinical Hypertension）」、第１０版、米国ペンシルバニア州フィラデルフィア、リッピンコット＆ウィルキンズ（Lippincott Williams & Wilkins）、２０１０年
【非特許文献１１】コッペン（Koeppen）ら、「ベルン＆レヴィ生理学（Berne & Levy Physiology）」、第６版、モスビー（Mosby）、２００８年
【非特許文献１２】マクベイ（McVeigh）、「脈拍波形分析及び動脈壁特性（Pulse waveform analysis and arterial wall properties）」、高血圧（Hypertension）、２００３年、第４１巻、頁１０１０〜１０１１
【非特許文献１３】ニコルス（Nichols）ら、「マクドナルドの動脈における血流、理論、実験及び臨床原理（McDonald’s Blood Flow in Arteries, Theoretical, Experimental and Clinical Principles）」、第５版、ホッダー・アーノルド、２００５年
【非特許文献１４】オリバー（Oliver）ら、「動脈の剛性及びアテローム・イベントのリスクの非侵襲性評価（Noninvasive assessment of arterial stiffness and risk of atherosclerotic events）」、動脈硬化症、血栓症、血管バイオロジー（Arteriosclerosis, Thrombosis, and Vascular Biology）、２００３年、第２３巻、頁５５４〜５６６
【非特許文献１５】オルーク（O’Rourke）ら、「動脈の剛性の臨床への適用：定義及び参照の値（Clinical applications of arterial stiffness; definitions and reference values）」、高血圧（Hypertension）、２００２年、第１５巻、頁４２６〜４４４
【非特許文献１６】サファー（Safar）、「動脈の老化−血行力学の変化及び治療のオプション（Arterial aging - hemodynamic changes and therapeutic options）」、ネイチャー・レビュー心臓学（Nature Reviews Cardiology）、２０１０年、第７巻、頁４４２〜４４９
【非特許文献１７】スカボロ（Scarborough）ら、「心弾動図の用語及び規定の提案：改訂及び拡張：心弾動図の用語に関する委員会の報告（Proposals for Ballistocardiographic Nomenclature and Conventions: Revised and Extended: Report of Committee on Ballistocardiographic Terminology）」、循環（Circulation）、１９５６年、第１４巻、頁４３５〜４５０
【非特許文献１８】スタア（Starr）、「心臓の反跳及び血液の影響から人の心臓出力及び心機能の異常さを推定することに関する研究：心弾動図（Studies on the estimation of cardiac output in man, and of abnormalities in cardiac function, from the heart’s recoil and the blood’s impacts; tha ballistocardiogram（心弾動図））」、米国生理学ジャーナル（The American Journal of Physiology）、１９３９年、第１２７巻、頁１〜２８
【非特許文献１９】スタア（Starr）ら、「検死時の収縮をシミュレートすることによる研究：２．心臓及び末梢のファクタと脈波の起源との関係に関する実験及び心弾動図（Studies Made by Simulating Systole at Necropsy: II. Experiments on the Relation of Cardiac and Peripheral Factors to the Genesis of the Pulse Wave and the Ballistocardiogram（心弾動図））」、循環（Circulation）、１９５３年、第８巻、頁４４〜６１
【非特許文献２０】スタア（Starr）、「検死時の収縮をシミュレートすることによる研究：１２．心弾動図からの初期心臓力の推定（Studies Made by Simulating Systole at Necropsy: XII. Estimation of the Initial Cardiac Forces from the Ballistocardiogram（心弾動図））」、循環（Circulation）、１９５９年、第２０巻、頁７４〜８７
【非特許文献２１】スタア（Starr）、「生理心臓学への前進、心弾動図に関する第２小論（Progress Towards a Physiological （生理学的）Cardiology, a Second Essay on the Ballistocardiogram（心弾動図））」、内科年史（Annals of Internal Medicine）、１９６５年、第６３巻、頁１０７９〜１１０５
【非特許文献２２】ヴァン・ポペレ（van Popele）ら、「動脈の剛性とアテローム性動脈硬化との関係：ロッテルダムの研究（Association between arterial stiffness and atherosclerosis: The Rotterdam Study）」、卒中（Stroke）、２００１年、第３２巻、頁４５４〜４６０
【非特許文献２３】ワン（Wang）ら、「動脈の剛性の評価、血管リスクの評価のための展開医療バイオマーカ・システム（Assessment of Arterial Stiffness, A Translational Medicine Biomarker System for Evaluation of Vascular Risk）」、ＣＶセラピュティクス（CV Therapeutics）、２００８年、第２６巻、頁２１４〜２２３
【非特許文献２４】ウィアード（Wiard）ら、「休憩及び運動状態における心弾動図の中心大動脈力の推定（Estimation of central aortic forces in the ballistocardiogram（心弾動図） under rest and exercise conditions）」、第３１回ＩＥＥＥ医療及びバイオロジーにおける技術者年次大会（31st Annual IEEE Engineers in Medicine and Biology Conference）、米国ミネソタ州ミネアポリス、２００９年
【非特許文献２５】ウィアード（Wiard）ら、「改造したバスルームの体重計による心弾動図の動きアーチファクトの自動検出（Automatic detection of motion artifacts in the ballistoardiogram on a modified bathroom scale）」、医療及びバイオロジー・エンジニアリング及びコンピューティング、２０１０年、頁１〜８
【非特許文献２６】アリハンカ（Alihanka）ら、「心弾動図、心拍数及び呼吸を長期間観察するための新規な方法（A new method for long-term monitoring of the ballistocardiogram（心弾動図）, heart rate, and respiration）」、米国生理学ジャーナル（The American Journal of Physiology）、１９８１年
【非特許文献２７】チャウドリ（Chaudhry）ら、「心不全で入院する前の体重変化パターン（Patterns of weight change preceding hospitalization for heart failure）」、循環（Circulation）、２００７年、頁１５４９〜１５５４
【非特許文献２８】デュビン（Dubin）、「ＥＫＧの迅速な解釈（Rapid interpretation of EKG’s）」、第６版、米国フロリダ州タンパ、カバー・パブリッシング（Cover Publishing Co.）、２０００年
【非特許文献２９】エテマヂ（Etemadi）ら、「体重計による心収縮の非侵襲性評価（Non-invasive assessment of cardiac contractility on a weighing scale）」、第３１回ＩＥＥＥ医療及びバイオロジーにおける技術者年次大会（31st Annual IEEE Engineers in Medicine and Biology Conference）、米国ミネソタ州ミネアポリス、２００９年
【非特許文献３０】ゲージ（Gage）ら、「静かに起立している場合の倒立振り子モデルの運動学的及び運動の有効性（Kinematic and kinetic validity of the inverted pendulum model in quiet standing）」、歩行姿勢（Gait Posture）、２００４年、頁１２４〜１３２
【非特許文献３１】イナン（Inan）ら、「バスルームの体重計ベースの心弾動図における運動回復時の非侵襲性心拍出量傾向（Non-invasive cardiac output trending during exercise recovery on a bathroom-scale-based ballistocardiograph）」、生理計測（Physiological （生理学的）Measurement）、２００９年、頁２６１〜２７４
【非特許文献３２】イナン（Inan）ら、「家庭観察のためのロバストな心弾動図の取得（Robust ballistocardiogram（心弾動図） acquisition for home monitoring）」、生理計測（Physiological （生理学的）Measurement）、２００９年、頁１６９〜１８５
【非特許文献３３】イナン（Inan）ら、「同時に取得される心電図を用いた心弾動図信号を推定するための新規な方法（Novel methods for estimating the ballistocardiogram（心弾動図） signal using a simultaneously acquired electrocardiogram（心電図））」、第３１回ＩＥＥＥ医療及びバイオロジーにおける技術者年次大会（31st Annual IEEE Engineers in Medicine and Biology Conference）、米国ミネソタ州ミネアポリス、２００９年、
【非特許文献３４】イナン（Inan）ら、「同時に取得される心電図を用いた心弾動図信号を推定するための新規な方法（Novel methods for estimating the ballistocardiogram（心弾動図） signal using a simultaneously acquired electrocardiogram（心電図））」、第３１回ＩＥＥＥ医療及びバイオロジーにおける技術者年次大会（31st Annual IEEE Engineers in Medicine and Biology Conference）、米国ミネソタ州ミネアポリス、２００９年、
【非特許文献３５】イナン（Inan）ら、「立位の心弾動図測定のための雑音参照として足から取得される下半身の筋電図の信号を評価する（Evaluating the lower-body electromyogram signal acquired from the feet as a noise reference for standing ballistocardiogram（心弾動図） measurements）」、生物医学における情報技術に関するＩＥＥＥ議事録（IEEE Transactions on Information Technology in Biomedicine）、２０１０年、頁１１８８〜１１９６
【非特許文献３６】イシジマ（Ishijima）、「家庭でバイタル・サインを観察するための控えめなアプローチ（Unobtrusive approaches to monitoring vital signs at home）」、医学及び生物工学及びコンピューティング（Medical & Biological（生物学的） Engineering & Computing）、２００７年、頁１１３７〜１１４１
【非特許文献３７】マソウヂ（Masoudi）ら、「高齢者の慢性うっ血性心不全の負担：方針と研究の大きさ及び含み（The burden of chronic congestive heart failure in older persons: magnitude and implications for policy and research）」、心不全レビュー(Heart Failure Reviews)、２００２年、頁９〜１６
【非特許文献３８】パウカ（Pauca）ら、「橈骨動脈圧波形から上行大動脈圧を推定する方法の前向き評価（Prospective Evaluation of a Method for Estimating Ascending Aortic Pressure From the Radial Artery Pressure Waveform）」、高血圧（Hypertension）、２００１年、頁９３２〜９３７
【非特許文献３９】ピシニ（Piccini）ら、「心不全管理における診断観察戦略（Diagnostic monitoring strategies in heart failure management）」、米国心臓ジャーナル（American Heart Journal）、２００７年、頁１２〜１７
【非特許文献４０】ラパポート（Rappaport）ら、「心弾動図：１．物理的考察（Ballistocardiography: I. Physical considerations）」、循環（Circulation）、１９５３年、頁２２９〜２４６
【非特許文献４１】ロザモンド（Rosamond）ら、「心臓疾患及び卒中統計−２００８年更新：米国心臓学会統計委員会及び卒中統計小委員会からの報告（Heart disease and stroke statistics-2008 update: a report from the American Heart Association Statistics Committee and Stroke Statistics Subcommittee）」、循環（Circulation）、２００８年、頁ｅ２５〜ｅ１４６
【非特許文献４２】ウィンタ（Winter）ら、「静止立位におけるバランスの剛性制御（Stiffness control of balance in quiet standing）」、神経生理学ジャーナル（Journal of Neurophysiology）、１９９８年、頁１２１１〜１２２１
【非特許文献４３】ディビス（Davis）ら、「若年及び老年の健康者の能動的な立位は末梢抵抗の増加の存在における波反射を低減する（Active standing reduces wave reflection in the presence of increased peripheral resistance in young and old healthy individuals）」、高血圧ジャーナル（Journal of Hypertension）、２０１１年、２９号、頁６８２〜６８９
【非特許文献４４】キム（Kim）ら、「姿勢変更によるＰＴＴの血管変動及び血管特性指標（Vascular Variation of PTT and the Vascular Characteristic Index According to the Posture Change）」、２００７年収束情報技術に関する国際会議抄録（Proceedings of the 2007 International Conference on Convergence Information Technology (ICCIT '07)）、ＩＥＥＥコンピュータ・ソサエティ（IEEE Computer Society）、米国ワシントンＤＣ、２００７年
【発明の概要】
【発明が解決しようとする課題】
【０００７】
血管の剛性及び中心血圧を容易に観察できるようにする。
【課題を解決するための手段】
【０００８】
本開示は、血管の剛性及び中心血圧を観察するためのシステム、方法及びアプローチに関する。本開示は、ここに含まれる請求項に見合う、以下に提示される実装及び応用を含む多くの実装及び応用の例示である。
【０００９】
本開示の実施形態は、動脈の老化（血管の剛性）及び中心動脈血圧を測定するための、心弾動図、インピーダンス・カルジオグラフィ、フォトプレチスモグラフィ及び末梢血圧測定の使用に関する。動脈の老化は、動脈壁を硬化し、血圧の上昇、左室肥大、心筋梗塞、脳卒中及び腎不全を含む心血管障害と余病の主因と考えられる。本開示の様々な実施形態は、大動脈の剛性と動脈壁の厚さ（アテローム性動脈硬化症）とは、密接に関連するように見えることを認識する。本開示の態様は、各々が、身体の２つの異なる位置にそれらの起源を有する複数の信号を、単一の位置で（例えば、改造されたバスルームの体重計を用いて、足で）、計測することにも関する。これは、動脈の剛性を判断するために特に有用であり得る。例えば、心弾動図のための信号は大動脈弓に起源を有し、フォトプレチスモグラム（ＰＰＧ）のための信号は足に起源を有してもよい。この態様は、例えば、身体の複数の位置に高感度のプローブを正確に配置する必要がないため、（例えば、動脈の脈波速度を計算するための）これらの２つの信号の相対的なタイミングの測定を促進することができる。このような態様は、例えば、センサのタイプ及び自己測定のためのアレンジメントによって、脈波速度の測定の再現性を改善するために有用であり得る。
【００１０】
例示的な実施形態によれば、システムはＢＣＧ（心弾動図）のデータをユーザから取得する。システムは、ＢＣＧ取得装置、補助センサ及び処理回路を含む。ＢＣＧ取得装置は、ユーザから、物理的動き及びユーザの基部大動脈の機械的出力の少なくとも一方を示すＢＣＧ信号を取得する心臓及び血管特性センサを含む。補助センサは、ユーザの末梢動脈の剛性の特性を判断するために、ユーザの足で、血圧脈拍移動時間を検出し、次に、検出された指標を特徴付ける出力を提供する。処理回路は、ユーザの全体的な循環機能の最適な推定値を判断するために、及び、ユーザの動脈の状態を示す出力結果を生成するために、センサ出力を使用する。
【００１１】
本開示の他の例示的な実施形態と矛盾せず、システムはユーザからＢＣＧ（心弾動図）データを取得する。システムは、ＢＣＧ取得装置、複数の補助センサ及び処理回路を含む。ＢＣＧ取得装置は、物理的な動き及びユーザの基部大動脈の機械的な出力の少なくとも一方を示すＢＣＧ信号をユーザから取得する心臓及び血管特性センサを含む。補助センサは、ユーザの異なる枝に沿った大動脈の剛性の特異な特性を判断するために、ユーザの足及び手で血圧脈拍移動時間を検出し、次に、検出された指標を特徴付ける出力を提供する。処理回路は、異なる動脈の枝に沿ったユーザの全体的な循環機能の最適な推定値を判断するためにセンサ出力を使用し、ユーザの動脈の状態の結果を示す出力を生成するために、中間セグメントの動脈の剛性を推定する。
【００１２】
本開示の他の例示的な実施形態と矛盾せず、システムはインピーダンス・カルジオグラム（ＩＣＧ）データをユーザから取得する。システムは、ＩＣＧ取得装置、補助センサ及び処理回路を含む。ＩＣＧ取得装置は、ユーザから、物理的な動き及びユーザの基部大動脈の機械的な出力の少なくとも一方を示すＩＣＧ信号を取得するセンサを含む。補助センサは、ユーザの末梢動脈の特性を判断するために、ユーザの足で、血圧脈拍移動時間を検出し、次に、検出された指標を特性付ける出力を提供する。処理回路は、ユーザの全体的な循環機能の最適な推定値を判断し、ユーザの動脈の状態を示す出力結果を生成するために、センサ出力を使用する。
【００１３】
本開示の他の例示的な実施形態と矛盾せず、システム／方法は、ＢＣＧ取得装置に起立しているユーザからの心弾動図（ＢＣＧ）測定値を（例えば、リアルタイムで）提供する。力センサは、ユーザが装置の上に起立している間、物理的な動き及び／もしくはユーザの心臓の機械的な出力の信号指標を取得するように配置されている。第２の特定のセンサ・タイプ（例えば、ＥＣＧ、加速度計、ジオホン、変位、筋電図もしくはビデオ取得装置）は取得された信号についての追加的な情報を提供する。追加的な情報は、雑音の指標及び／もしくはＢＣＧ測定値に存在する干渉の指標もしくはユーザの他の特性の指標であってよい。プロセッサは取得された信号を処理し（例えば、取得されたＢＣＧ記録をフィルタリングもしくはゲーティングし（例えば、重みを付けし、もしくは様相を除去し））、ユーザに診断を提供する。
【００１４】
いくつかの実装において、取得されたＢＣＧ記録は、利用可能な雑音もしくは干渉レベルより高い雑音もしくは干渉を含む、重みが導出された動き信号もしくは記録の除去セグメントに（例えば、平均化アルゴリズムに）ゲーティングされる。例えば、より高い雑音の範囲が、最大尤度の平均化などの重みづけ集合平均アルゴリズムにおいて、より低い重みに与えられ得る。
【００１５】
本開示の態様は、補助センサを用いたＢＣＧ信号の動きアーチファクトの検出に関する。いくつかのシチュエーションにおいて、患者の動きはＢＣＧの許容できない数の雑音を含むセグメントを導く。ＢＣＧ力信号レベルは、数ニュートンのオーダーの大きさである。身体の動きは、容易に同様な大きさ及びより大きなオーダーの大きさの雑音アーチファクトを導入する。ＢＣＧ信号レベルのオーダーの雑音をＢＣＧ信号のみから検出することはおそらく困難である。
【００１６】
他の例示的な実施形態は、ユーザからのＢＣＧ（心弾動図）データを提供するシステムに関する。システムは、ＢＣＧ取得装置、補助センサ及び処理回路を含む。ＢＣＧ取得装置は、物理的な動き及びユーザの心臓の機械的な出力の少なくとも一方を示すＢＣＧ信号を、ユーザから、取得する心臓特性センサを含む。補助センサは、ＢＣＧ信号にある雑音の源及びユーザの生理的特性（例えば、心臓特性及び／もしくは雑音ベース特性）の少なくとも一方を示す指標を検出し、検出された指標を特徴付ける出力を提供する。処理回路は、取得されたＢＣＧ信号を処理し、ユーザの心臓の状態を示すＢＣＧ信号を出力するために、補助センサの出力を使用する。
【００１７】
本開示の態様は、上腕動脈及び大動脈の間の血圧の差異を定量化するシステムにも関する。システムは、ＢＣＧ取得装置、腕に沿ったポイント（例えば、上腕、橈骨、もしくは指）の補助ＰＰＧセンサ、及び下行大動脈の末梢ポイント（例えば、足）の他のＰＰＧセンサを含む。上腕及び中心の圧の差異を判断するために、動脈のトラックに沿った血管の剛性の測定値を使用する。システムは、末梢血圧を測定するための装置（例えば、自動上腕血圧カフ、携帯型血圧モニタ、指血圧計など）を含む。中心大動脈血圧が、システムからの大動脈の剛性測定値と共に末梢血圧測定値を使用して、判断される。
【００１８】
本開示の上記サマリは例示の実施形態の各々を説明すること、もしくは、本開示の全ての実装を説明することを意図していない。
【発明の効果】
【００１９】
血管の剛性及び中心血圧を容易に観察できる。
【図面の簡単な説明】
【００２０】
【図１Ａ】本開示の実施形態と矛盾しない、心弾動図（ＢＣＧ）及びフォトプレチスモグラフィ（ＰＰＧ）を取得することができる体重計（例えば、バスルームの体重計）の図を示す。
【図１Ｂ】本開示の実施形態と矛盾しない、さらに、タイム・ポイントＴ３を取得するための指ＰＰＧセンサを含む体重計（例えば、バスルームの体重計）の図を示す。
【図２】本開示の実施形態と矛盾しない、指ＰＰＧ信号を利用して、ＢＣＧ及び足ＰＰＧの中心測定値及び末梢測定値を結合し、中間的な動脈の剛性値を導出するアルゴリズムを例示する。
【図３】本開示の他の実施形態と矛盾しない、市販の体重計からＢＣＧ信号を取得する回路を示す。
【図４】本開示の実施形態と矛盾しない、手から手へのインピーダンス・カルジオグラム及びフォトプレチスモグラフィ（ＰＰＧ）信号を取得することができる体重計（例えば、バスルームの体重計）の図を示す。
【図５】本開示の実施形態と矛盾しない、大動脈圧の脈拍と中心大動脈力（ＣＡＦ）との波形のタイミングに関連するコンピュータ・シミュレーション結果を例示する。
【図６】本開示の実施形態と矛盾しない、頸動脈の脈拍とＢＣＧとのタイミング関連を示す。
【図７】本開示の実施形態と矛盾しない、複数のテスト被験者からの心弾動図のＩ波と頸動脈の圧脈拍の開始との間の時間差（秒）のヒストグラムを示す。
【図８】Ｔ１タイミングについて、本開示の実施形態と矛盾しない、４カ月を越える、人のＢＣＧ  Ｉ波と頸動脈の大動脈拍とのＥＣＧ  Ｒ波からのタイミングを示す。
【図９】本開示の実施形態と矛盾しない、４カ月を越える、頸動脈と人の足でＴ２が測定されるＢＣＧベース脈拍移動タイミング（ＰＴＴ＝Ｔ２−Ｔ１）との比較を示す。
【図１０】本開示の実施形態と矛盾しない、指及び足指でとられた末梢ＰＰＧ信号とＢＣＧとの相対的なタイミング関連を示す。
【図１１】座位、立位、臥位の単一の被験者についての姿勢に依存する脈拍移動タイミングを示す。
【図１２】本開示の実施形態と矛盾しない、複数の被験者の年齢（年）に対する立位での脈波速度のプロットを示す。
【図１３】本開示の実施形態と矛盾しない、鼓動から鼓動までの収縮期血圧（ＳＢＰ）（単位：ｍｍＨｇ、上）及び改造されたバスルームの体重計から取得されるＢＣＧ及び足ＰＰＧ信号によって推定される鼓動から鼓動までの立位のＰＷＶ測定値（単位：メータ毎秒、下）の例示的なタイム・トレースを示す。
【図１４Ａ】本開示の他の例示的な実施形態と矛盾しない、ＢＣＧ信号強調のためにＢＣＧ及び補助センサを用いて心血管機能を検出するシステム及びアプローチのブロック図を示す。
【図１４Ｂ】本開示の他の例示的な実施形態と矛盾しない、ＢＣＧ信号強調のためにＢＣＧ及び補助センサとしてハンドルバーＥＣＧセンサを用いて心血管機能を検出するシステム及びアプローチのブロック図を示す。
【図１４Ｃ】本開示の他の例示的な実施形態と矛盾しない、ＢＣＧ信号強調のために改造された体重計に含まれるＢＣＧ及び埋め込み動きセンサ及びＥＣＧを用いて心血管機能を検出するシステム及びアプローチのブロック図を示す。
【図１５】本開示の実施形態と矛盾しない、末梢血圧測定値、脈波速度測定値及びユーザの情報を用いて中心圧を推定する方法を示す。
【図１６Ａ】（アトコア・メディカルのシグモコア動脈トノメータによって取得される）複数の被験者の中心収縮期血圧を示す。
【図１６Ｂ】（アトコア・メディカルのシグモコア動脈トノメータによって取得される）複数の被験者の中心収縮期血圧に対する（本開示の実施形態と矛盾しない）立位の脈波速度のプロットである。
【図１７Ａ】（アトコア・メディカルのシグモコア動脈トノメータによって取得される）複数の被験者の中心脈圧を示す。
【図１７Ｂ】（アトコア・メディカルのシグモコア動脈トノメータによって取得される）複数の被験者の中心脈圧に対する（本開示の実施形態と矛盾しない）立位の脈波速度のプロットである。
【図１８Ａ】本開示の実施形態と矛盾しない、末梢血圧及び大動脈中心圧の計測された収縮期の差異を示す。
【図１８Ｂ】本開示の実施形態によって取得される計測された中心収縮期圧の差異及び本開示の実施形態と矛盾しない、アトコア・メディカルのシグモコア動脈トノメータによって取得される中心圧測定値によって取得される計測された中心収縮期圧の差異を示す。
【発明を実施するための形態】
【００２１】
開示は様々な変更された形態に変形可能であり、その例示は図に示され、詳細に説明される。しかしながら、示される及び／もしくは説明される特定の実施形態に開示を限定する意図はないことが理解されるべきである。反対に、全ての変更、同等のものが本開示の思想及び範囲でカバーされることを意図する。
【００２２】
本開示は、図面と関連する以下の様々な実施形態の詳細な説明を考慮すると、より完全に理解することができる。
【００２３】
本開示の様々な実施形態は、患者による家庭での使用を促進するような心血管機能を観察する（例えば、患者の心血管疾患を判断する）ことに関連して特に有用であることがわかっている。本開示は、そのような適用に限定される必要はなく、本開示の様々な態様を、このコンテキストを用いた様々な例の説明によって認識することができる。
【００２４】
本開示の態様は、ユーザの体重及び／もしくは体重変動を検出するセンサによって、ユーザの心血管機能を検出することに関する。処理アレンジメントもしくは処理回路は、検出された体重及び／もしくは体重変動に基づいて、ユーザの心血管機能特性を判定するように（例えば、アルゴリズム／変換によって）構成される。処理アレンジメントは、アルゴリズム／変換のパラメータとして、１つもしくは複数の追加されたセンサからのデータを使用する。これらの例示的な態様に関連して、予想外に実用的で信頼できる中心血圧及び血管の剛性の測定値を生成するために、そのような実装が、特に有用であり得ることが発見された。
【００２５】
本開示の実施形態は、立位での動脈硬化の測定値が、臥位及び座位で取得される測定値と比較して有益であることを認識することに関する（図１１）。立位は、ほぼ全身の長さの動脈の剛性の測定の測定値を示すと考えられる。すなわち、心臓への圧力波の影響のもっとも大きな原因に関連する人体の多くの部分を特徴付ける。
【００２６】
本開示の実施形態は、動脈の老化（血管の剛性）を測定するためのＢＣＧ測定の使用に関する。動脈の老化は、動脈壁を硬化し、血圧の上昇、左室肥大、心筋梗塞、脳卒中及び腎不全を含む多数の心血管障害と余病の主因と考えられる。本開示の様々な実施形態は、大動脈の剛性と、動脈壁の厚さ（アテローム性動脈硬化症）とは、密接に関連するように見えることを認識する。
【００２７】
本開示の態様は、各々が、身体の２つの異なる位置にそれらの起源を有する複数の信号を、単一の位置で（例えば、改造されたバスルームの体重計を用いて、足で）、測定することに関する。例えば、心弾動図のための１つの信号は大動脈弓に起源を有し、足指ＰＰＧのための１つの信号は足に起源を有することができる。この態様は、例えば、圧平眼圧測定の場合のように、身体の複数の場所に、感度が高いプローブを正確に配置する必要がないので、（例えば、脈波の速度を計算するために、）これらの２つの信号の相対的なタイミングの測定を促進することができる。このような態様は、例えば、測定セットアップ手順の容易さによって、脈波の速度の測定値の再現性を改善するためにも有用であり得る。
【００２８】
本開示の態様は、動脈の老化（血管の剛性）を測定するために、ＢＣＧ測定値を使用することに関する。非特許文献１５に記載されているように、動脈の老化は、動脈壁を硬化し、血圧の上昇、左室肥大、心筋梗塞、脳卒中及び腎不全を含む多数の心血管障害と余病の主因と考えられる。非特許文献２２に記載されているように、大動脈の剛性と、動脈壁の厚さ（アテローム性動脈硬化症）とは、密接に関連するように見える。
【００２９】
慢性的に増加する血圧（高血圧）は、治療されないならば、多くの心血管疾患及び高い死亡率と直接的にリンクする状態である。高血圧は、制御されることが可能であり、正常者レベルの血圧は、血流、心収縮における圧波の影響の低減、もしくは、収縮性のために血管抵抗を低減するように、特定の経路に作用し、心血管疾患の余病を低減し、寿命を延ばすことができるかもしれない医薬品（例えば、ベータ受容体遮断薬、カルシウム・チャネル・ブロッカー、ＡＣＥ阻害薬及び利尿剤）によって達成されることができる。抗高血圧療法の成功、そして、おそらく、心血管疾患のリスク管理の成功は、従来、抗高血圧療法の成功を判断するための主なパラメータとして拡張期及び収縮期の値を評価する、末梢血圧（例えば、腕の上腕血圧もしくは手首の橈骨血圧）の測定値によって判断されてきた。
【００３０】
非特許文献１６、非特許文献５に記載されるように、心血管研究は、中心血圧（大動脈圧の脈拍）が、末梢血圧の測定値よりも心血管疾患のリスクをより確実に階層化することを示唆している。大動脈は心臓と主要な器官との間に配置されており、末梢の圧脈拍ではなく、大動脈圧の脈波が当該器官によって最終的に経験される力である。中心圧は、器官に課される負荷及びその結果であるダメージをよりよく示すことができる。動脈の老化、及び、その結果である心血管の硬化（動脈の血管の剛性）からしばしば現れる異常な中心血行力学特性は、最終的には、心血管によって誘発される器官のダメージ及び故障につながることがある。心血管疾患を発症するリスクを有する人は、心血管のリスクを適切に管理する可能性を向上させるために、しばしば観察される必要がある。
【００３１】
動脈の弾力及びその他の血行力学特性の変化の検出は、既に高血圧である、及び／もしくは、抗高血圧治療中である人へ治療に関する利益を提供するためだけでなく、まだ、高いと考えられるレベルまで血圧が達していないが、心血管イベントについてリスクが増加してきている人への予後の利益及び診断の利益を提供するために有用である。
【００３２】
本開示の態様は、医療スタッフの管理もしくは技術的な支援を必要とせず、シンプルで、信頼でき、かつ、迅速に、彼らの中心血行力学特性を測定し、観察するために、正常血圧及び高血圧である人の双方に有用である装置及び方法に関する。
【００３３】
ｃｆＰＷＶ（大腿頸動脈脈波速度）の測定値を大動脈の剛性を定量化するために使用することができる。頸動脈は、上行大動脈の圧脈波を示す第１タイム・ポイント（Ｔ１）として使用され、大腿動脈は、動脈の終点を示す第２タイム・ポイント（Ｔ２）として使用される。時間ΔＴ＝Ｔ２−Ｔ１を、速度の値を取得するために、測定位置間の距離（Ｄ）で除す。
【００３４】
ここで説明される実施形態と矛盾せず、タイム・ポイントＴ１はＢＣＧ計測「ＢＣＧ  Ｔ１」によって提供されてもよく、中心のもしくは頸動脈のタイム・ポイントＴ１に対応し、タイム・ポイントＴ２はＰＰＧ測定「ＰＰＧ足指Ｔ２」によって提供されてもよく、末梢動脈のタイム・ポイントＴ２に対応する。タイム・ポイントＢＣＧ  Ｔ１及びＰＰＧ足指Ｔ２は、動脈の血管の剛性を計算するために使用されてもよい。
【００３５】
動脈の剛性は、直接、剛性の測定を実行することによってではなく、動脈に沿って、脈波速度（ＰＷＶ）を計測することによって推定することができる。Ｍｏｅｎｓ−Ｋｏｒｔｅｗｅｇ方程式は、血管壁弾力率（Ｅ）、壁圧（ｔ）、直径（Ｄ）及び血液密度（ρ）に、波速度（ｃ）を関連付ける。
【数１】
0005955341.tif 000002
【００３６】
動脈のＰＷＶは動脈の剛性の増加と共に増加する、動脈の剛性を定量化するための非侵襲性の測定である。脈拍が移動する線に沿った２つの記録サイトの間の差異及び（圧のもしくは流れの）波上の対応するポイントの間の遅延として、脈波速度は計測される。波面が２つの波形の通常の基準ポイントである（非特許文献１５）。頸動脈及び大腿動脈が、大動脈の剛性を推定するための計測ポイントとして使用されてもよい。動脈の脈波は、中心の上行大動脈を代表する頸動脈、及び、より末梢の動脈としての大腿動脈で記録される。頸動脈の表面的な位置及び大腿動脈は、非侵襲性の圧平測定を可能にする。
【００３７】
これらの２つの参照点での、脈波の、足のような、所定の部分の到着（鋭い最初の収縮期のアップストローク）の間の時間遅延を、同時測定もしくは心電図（ＥＣＧ）のＲ−波のピークへのゲート制御のいずれかによって取得することができる。脈波によって移動する距離は身体表面にわたって計測され、脈波速度は、次に、距離／時間として計算される（非特許文献１５、非特許文献２３）。
【００３８】
感圧トランスデューサもしくはセンサ（ピエゾ抵抗素子、圧電、容量）、圧脈波及び流脈波が同じ速度で伝播するという原理に基づくドップラー超音波、もしくは、動脈につけられている小型マイクロ圧力計の圧力が動脈内の圧力と同等である圧平眼圧測定を用いて、圧抵抗動脈の脈波を検出することができる（非特許文献１５）。
【００３９】
動脈の剛性を低減する医薬である抗高血圧の薬剤の有効性を評価するために、抗高血圧治療中の観察ツールとして、ｃｆＰＷＶを使用することができる（非特許文献６）。
【００４０】
圧脈波分析と比較して、脈波速度は補助的な（例えば、上腕の）血圧測定を必要としない。さらに、脈波速度は、心血管障害（特に、５５歳を越える人々の高血圧）の有用な臨床指標を提供することが報告されている。
【００４１】
本開示の態様は、動脈の剛性のような中心血行力学特性の信頼できる連続的な評価が、予後、診断、心血管疾病への治療アプローチ、及び、心血管リスクの全体的な管理に重要な入力及びガイダンスを提供することを認識する。動脈が徐々に硬化することによる、動脈の脈管系の機能的及び構造的変化（例えば、リモデリング）は  、血圧の上昇につながる。血圧は、心血管疾病の主なリスクの因子となる。血圧が正常範囲内であったとしても、動脈の剛性は、心血管リスクの独立したマーカである。
【００４２】
臨床測定に加えて、信頼でき、実行容易な、人の動脈の剛性及び他の中心血行力学特性の家庭での観察は、（比較的まれな）臨床通院によって提供されるよりもかなり高い頻度で、有用な観察データの縦軸を提供する傾向を有し、治療の介在及び心血管リスク管理の双方を促進する
【００４３】
本開示の様々な実施形態は、非侵襲性の心弾動図及びフォトプレチスモグラフィ法を用いた脈波速度測定によって、人の動脈の剛性／弾性を判断することによって、人の心血管リスクを評価するシステム及び方法に関する。本開示のある態様は、特に、家庭及び／もしくは臨床設定での観察を促進することに、特に、貢献する。
【００４４】
本開示の態様は、大動脈圧による血流インタラクションによって生成される力が、ＢＣＧ信号の起源に結びつけられていることを認識する。図５に示されるように、この力（中心大動脈力（ＣＡＦ））は、ＢＣＧの振幅と同様であることが発見された。ＣＡＦを以下の式によって決定することができる。
【数２】
0005955341.tif 000003
【００４５】
血管の示力図は、液体−個体インタラクションによって血管境界に存在する力を描写する。血流は、圧力（ｐ）及び壁せん断応力（τ）の成分を有する力を壁に働かせる。運動のニュートンの第３法則によって、力は、対で作用する。小さい表面領域（ｄＳ）にわたって、液体（ｔｆ）は作用力であり、血管壁の動弾性的反応（ｔｓ）は反作用力を提供する。その半円の弓（図５）である大動脈の血管壁の幾何学的形状は、その中で対の力が反作用する３次元システムを提供する。シミュレーションの結果は、大動脈圧（ｐ）が（数ニュートンのオーダーで、）ＣＡＦに主に貢献していることを示唆している。ＢＣＧ力の生成における大動脈の役割の例示において、大動脈のセグメントのシミュレーション（図５）は、大動脈の部分の半円の弓が中心圧誘起力へ貢献している重要な（主要でないならば）領域であることを表している。ＢＣＧ及び身体におけるその空間的なソース位置の間の生理学的な関係の確立は、脈波速度計算における圧脈拍の開始についての参照及び頸動脈への有効な指標／系として、ＢＣＧ特徴（例えば、Ｉ波）を使用することをサポートする。
【００４６】
ＢＣＧ参照を用いた中心大動脈力の推定及び検出の詳細は、引用される参照と共に、参照によって全体が本明細書に組み込まれる添付の付録２（休憩および運動状況下での心弾動図の中心大動脈力の評価）で説明されている。
【００４７】
本開示の実施形態は、頸動脈の脈波測定の代わりに、初期収縮期の大動脈の脈圧を示す血行力学タイム・ポイントを取得するために、心弾動図（ＢＣＧ）測定を使用することに関する。ＢＣＧ測定の詳細については、参照によって、本開示に含まれる、２００９年１０月１４日に出願された特許文献１を参照することができる。したがって、本開示の態様は、頸動脈の脈波の触診及び検出などのような、熟練した技術者によってしばしば実行されるタスクに代えて（もしくは、共に）、ＢＣＧ測定を使用することができることを認識する。
【００４８】
心弾動図（ＢＣＧ）測定に加えて、本開示の実施形態は、フォトプレチスモグラフィ（ＰＰＧ）測定の使用にも関する。ＢＣＧ信号は大動脈への血液の駆出により、末梢のＰＰＧ信号（例えば、収縮期の鋭いアップストローク）は、圧脈波が足への動脈ツリーを下って移動した後、開始する。ＢＣＧのＩ及びＪ波は、前駆出期（ＰＥＰ）が終了した後、収縮期に生じ、ＢＣＧ波は、心臓及び大動脈の血流によって誘起された加圧に機械的に関連する。ＢＣＧ波は、初期収縮期に生じるので、これらのＢＣＧ波を、図１Ａ及び図１Ｂに示されるように、ＰＴＴ判断の第１のタイム・ポイント（Ｔ１）として使用することができ、足のＰＰＧは第２のタイム・ポイント（Ｔ２）として供される。心臓／足へ下る大動脈弓の間の計測された距離を、次に、速度（例えば、速度＝距離／時間）を決定するためのスケーリング・ファクタとして使用することができる。
【００４９】
本開示の実施形態は、動脈もしくは器官の体積の変化を光学測定するフォトプレチスモグラフィ（ＰＰＧ）を使用することに関する（非特許文献３）。ＰＰＧを、動脈の圧力波形を測定するため、もしくは、血液の酸素飽和（パルスオキシメトリ）を定量化するために使用することができる。光源、例えば、ＬＥＤ及び光検出器を、指先、額、足指、もしくは、耳に配置されるセンサと共に、血管を膨張させる圧脈波の結果である血管の膨張を測定するために使用する。放射源の光の波長は、血液中で高い吸光感度を有するように特定される（例えば、血液中で６００〜９００ｎｍの範囲の吸光度はＰＰＧセンサの光路のヘモグロビン含有量に敏感である）。ＰＰＧセンサは、反射タイプもしくは伝達タイプの構成であってよく、導管動脈などの血管もしくは指、足指、耳の細い動脈の微小循環上に配置される。血管が加圧されると、その直径は増加し、光路の吸光物質（例えば、血液）の量は増加し、光検出器の信号は減少する。圧力が低下すると、逆の現象が生じる。結果として得られる脈波からの光信号の形状は、圧力センサを使用して得られたものと、形状及びタイミングについて、相互に強い関連を有する。
【００５０】
本開示のある実施形態は、脈波のタイミングを取得する可能性を向上することができ、複数の鼓動を共に平均化することによって、脈波速度（ＰＷＶ）の正確な推定を取得するために有用であり得る。例えば、脈波速度は、各々が複数の鼓動を含む信号を生成する、２つの信号、心弾動図（ＢＣＧ）及びフォトプレチスモグラフィ（ＰＰＧ）を使用することによって決定され得る。平均化は、ＢＣＧ及び足指で取得されるＰＰＧ信号の開始の最適なタイミングから初期収縮期の基準タイミング（一般的には、Ｉ波）を検出するために使用され得る。例えば、平均化は、人の鼓動から、記録から、もしくは、集合平均された波形から、抽出されるタイミングに適用され得る。鼓動のタイミング情報を提供する別個の信号（例えば、心電図）は、集合平均のための参照タイミングを提供するために使用されてもよいし、使用されなくてもよい。
【００５１】
本開示の実施形態は、大動脈の脈拍を示すタイム・ポイントを取得するために、頸動脈圧平で使用されるような、他の様々な方法と共に、心弾動図記録法（ＢＣＧ）を使用することができる。
【００５２】
本開示の態様は、各々が身体の２つの異なる位置に起源を有する複数の信号を、単一の位置で（例えば、改造されたバスルームの体重計を用いて、足で）、測定することに関する。例えば、１つの信号は心弾動図のために大動脈弓に起源を有し、１つの信号は、（例えば、足指ＰＰＧのために、）下腿、足などのひざ下に起源を有していてもよい。
【００５３】
この態様は、例えば、身体の複数の位置に高感度のプローブを正確に配置する必要がないため、（例えば、脈波速度を計算するために、）これらの２つの信号の相対的なタイミングの測定を促進することができる。このような態様は、例えば、測定セットアップ手順の容易さによって、脈波速度の測定の再現性を向上するためにも有用であり得る。
【００５４】
本開示の態様は、改造されたバスルームの体重計などの、単一の装置に、これらの２つの測定を統合することに関する。被験者が体重計の上に起立すると、ＢＣＧ及び足ＰＰＧが同時に記録される。２つの信号は、身体の２つの異なる信号位置及び時間的なタイミングを代表する単一の点（足）で、記録される。足で記録されるＢＣＧは、大動脈の圧脈拍及びそのタイミングに関連する情報を含む。ＰＰＧは、到着圧波を示すために、放出手段及び検出手段の光路内（例えば、足で）ローカル波動を記録する。この構成は、従来の圧平法、及び、Ｔ１及びＴ２タイム・ポイントを取得するために、身体の異なる領域にセンサを配置することに依存する方法と比較して測定を単純化する。
【００５５】
本開示の実施形態は、測定値が他の場所から取得されることも許容する。例えば、ＰＰＧは被験者の手から測定値を取得してもよいし、及び／または、ＢＣＧは、圧力センサによって、椅子に座っている被験者から測定値を取得してもよい。
【００５６】
本開示の実施形態において、ＢＣＧ取得装置は、ユーザからの信号も取得することができる（例えば、改造された）バスルームにある体重計などのように、体重計としても動作する。この実施形態において、脈波速度（ＰＷＶ）は、データを取得するために体重計に統合されているＰＰＧセンサによって、バスルームの体重計（図１Ａ参照）を用いて、推定される。バスルームの体重計は、足からの心弾動図（ＢＣＧ）及びフォトプレチスモグラフ（ＰＰＧ）を測定するように構成されている。ＢＣＧ及び足ＰＰＧ（経路がより長い）の間の時間間隔を測定する際に一貫性を提供するために、これは特に有用であり、速度の推定の正確さを改善することができる。例えば、速度は時間によって除された距離と等しいので、動脈の長さの１ｃｍの測定誤差は、心臓から足に比べて、頸動脈から大腿骨への速度推定でより大きな誤差を示す。より短い長さでの測定は、測定誤差への感度がより高いからである。
【００５７】
本開示の様々な実施の形態と矛盾せず、改造されたバスルームの体重計などのＢＣＧ装置はＥＣＧ電極を含む。ＥＣＧ電極は、ＢＣＧに別個のタイミング参照を提供し、ＰＰＧにも同様のことができる。このような電極は、便宜的に、（有線もしくは無線の）ハンドルに統合されてもよい。
【００５８】
本開示の他の実施形態によれば、システムは、関連する末梢の脈波速度（脚の筋動脈の速度）及び中心脈波速度（大動脈及び下行大動脈の速度）についての情報を提供するために、さらに、指ＰＰＧセンサを含む。脈波の開始としてＢＣＧタイミングを使用すると、指脈波のタイミングは、末梢の動脈（腕）を通る速度に主に関連する。一方、足ＰＰＧは、中心（下行）大動脈及び末梢四肢（脚）を通る伝播を反映する。直接（単純な比率）であろうと、一般的もしくは患者特有のモデルの使用を介そうと、指及び足の両方の測定は、両方の速度の分離を許容する。中心大動脈の速度及び末梢の動脈の速度の両方を推定する能力を、大動脈の血管の剛性の変化をより詳細に評価するために、及び、血管緊張に作用する抗高血圧薬（例えば、ＡＣＥ阻害薬、アンギオテンシンＩＩ受容体遮断薬）の効果を評価するために、使用することができる。
【００５９】
ここに記載されている実施形態と矛盾せずに、Ｔ１タイム・ポイントをＢＣＧ測定「ＢＣＧ  Ｔ１」によって提供することができ、Ｔ１タイム・ポイントは中心、すなわち、Ｔ１頸動脈タイム・ポイントに対応し、Ｔ２タイム・ポイントを脚から脚へのインピーダンスの心拍動曲線（ＩＣＧ）「ＩＣＧ−大腿骨  Ｔ２」によって提供することができ、Ｔ２タイム・ポイントはＴ２の末梢動脈時点に対応する。ＢＣＧ  Ｔ１及びＩＣＧ−大腿骨Ｔ２タイム・ポイントを、大動脈の血管の剛性を計算するために使用することができる。このシステムは、末梢の動脈のタイム・ポイント［上記「ＰＰＧ−足指Ｔ２」］のタイム・ポイントをさらに取得するために、ＰＰＧ−足指信号をさらに測定してもよく、大動脈及び脚の間の速度の分離を大腿骨及び脚の両方の測定が許容する。中心大動脈の速度及び末梢の動脈の速度の両方を推定する能力を、大動脈の血管の剛性の変化をより詳細に評価するために、及び、血管緊張に作用する抗高血圧薬（例えば、ＡＣＥ阻害薬、アンギオテンシンＩＩ受容体遮断薬）の効果を評価するために、使用することができる。
【００６０】
本開示の様々な実施形態と矛盾せずに、末梢の動脈（腕、脚）及び中心（下行）大動脈からの別個の速度もしくは脈拍の到着時間を、上腕の動脈及び大動脈の圧力差を定量化するために使用することができる（一般に、圧力増幅として参照される。）。脈波の開始としてＢＣＧタイミングを使用することによって、末梢及び中心の血管の剛性が測定され、動脈の圧力が適合しない期間が判定される。中心血圧を決定するために、圧力増幅期間を上腕の血圧測定と共に使用する。血管の剛性及び中心血圧の両方を推定するための能力は、高血圧の管理及び動脈の老化についての心循環系のリスクを識別するための能力を向上する。
【００６１】
本開示の他の実施形態において、両足で圧脈拍を測定するために、複数のＰＰＧセンサが改造されたバスルームの体重計に統合される。この複数のＰＰＧセンサの配置は、複数の異なる応用に、特に、有用であり得る。例えば、複数のセンサを、両足のタイミングを平均化することによって、脈拍の到着時間のよりロバストな測定を提供するために、もしくは、冗長さによってロバストさを向上するために、異なる脚の末梢の動脈の疾病（例えば、閉塞、硬化または狭窄）を診断するための方法を提供するために、使用してもよい。
【００６２】
本開示の他の実施形態において、ＰＰＧセンサは、酸素飽和測定をさらに可能にするように構成されている。
【００６３】
本開示の実施形態に矛盾せず、ＰＰＧ及びＢＣＧのタイミングは、記録全体から採られる鼓動のサブセットから導出される。このサブセットを、雑音測定基準（固定のもしくは患者特有の閾値を用いる信号対雑音比など）に基づいて、もしくは、集合平均ベースの雑音測定基準の必要性を否定するために、スケールの埋め込み雑音参照（例えば、非特許文献２５）を使用して、選択することができる。計算されたＰＷＶ値の信頼性を示す良質な測定基準を、これらの雑音測定基準もしくは運動測定基準から導出することもできる。
【００６４】
本開示の実施形態は、ＰＷＶについての情報及びＢＣＧ及びＰＰＧ信号を利用する脈波解析（ＰＷＡ）についての情報を提供するシステムに関する。ＰＰＧ波形の解析は、起立している／直立している場合のＰＷＶが判断されている間の心周期のタイミングに関して、心臓に戻る波反射についての情報を提供する。ＰＷＶ及び波反射タイミングについての情報を同時に提供するための能力は、血圧は毛細血管床の反射の程度によって変化するかもしれないが、ＰＷＶが大幅には変化していない小動脈床で作用する抗高血圧薬の効果を評価するために使用され得る。
【００６５】
以下では、まず、ＢＣＧ（心弾動図）システム及び方法の様々な実施形態を説明し、次に、（特に、）動きセンサ及びフィルタを用いる動脈の老化の測定及び単一の位置での複数の信号の測定に関する実施形態を説明する。説明の順番は、説明される対象の主旨を限定するものではなく、ここで説明される様々な実施形態を結合するための、及び、補うための能力を限定するものではない。
【００６６】
他の例示的な実施形態では、ＢＣＧ（心弾動図）システムは、物理的な動き及びユーザの心臓の機械的な出力の少なくとも一方を示す、ユーザからの、ＢＣＧ信号を取得する心臓特性センサを含むＢＣＧ取得装置を含む。補助センサは、ＢＣＧ信号に関連する補助的な特性を検出し、検出された指標を特徴付ける出力を提供する。例えば、補助センサは、ＢＣＧ信号に存在する雑音及びユーザの生理的特性の指標の１つもしくは複数を提供するために、ユーザ及び／またはユーザの環境の特性を検出してもよい。処理回路は、取得したＢＣＧ信号を処理するために、及び、ユーザの心臓及び上行大動脈（例えば、大動脈弓）の状態を示す出力ＢＣＧ信号を生成するために、補助センサの出力を使用する。
【００６７】
いくつかの実装において、ＢＣＧ取得装置は、体重計を含み、補助センサはユーザからのＥＣＧ信号を検出する心電図（ＥＣＧ）センサ、もしくは、ユーザの血流の脈拍を検出するフォトプレチスモグラフ・センサを含む。この検出された信号は、ＢＣＧ取得装置を介して取得される信号を処理するために使用される。
【００６８】
他の実装において、補助センサは、ユーザ及び関連するＢＣＧ信号の取得の特性を示すか、もしくは、判断するために有用である、ユーザからのＥＣＧ信号を検出するＥＣＧセンサを含む。処理回路は、取得したＢＣＧ信号を処理するために、及び、ＢＣＧ信号を処理するためのアルゴリズムへの入力として検出されたＥＣＧ信号を用いて、出力ＢＣＧ信号を生成するために、アルゴリズムを使用する。あるアプリケーションでは、処理回路は、検出されたＥＣＧ信号を介して生成される検出されたＢＣＧ信号の集合平均に基づいて、出力ＢＣＧ信号を生成する。この平均化は、（単一の集合平均化されたＢＣＧ鼓動を提供するように、）静的でも（同期移動平均もしくは指数加重トリガ平均のように）動的でもあり得る。
【００６９】
いくつかの実装において、ここで説明されるような体重計に実装することができるストリップ型センサもしくはハンドルバー型センサを用いたＢＣＧベース解析及びＥＣＧベース解析の両方について、データが検出される。１つもしくは複数のこのようなセンサは、ＢＣＧ及びＥＣＧ解析データの両方を生成するために、引き続いて処理される、ユーザからの信号を効果的に取得するために使用される。ある実装において、検出される及び／もしくは、生成されるＥＣＧデータは、物理的な移動及びユーザの心臓の機械的な出力の１つもしくは複数の再現を促進するために取得した信号をフィルタリングすることなどによって、ＢＣＧ解析データの生成において使用される。例えば、信号対雑音比及びＢＣＧ記録の一貫性を向上させるために、ＢＣＧ及びＥＣＧ（もしくはフォトプレチスモグラフ）信号を、適応的にフィルタリングすること、もしくは、ＥＣＧ  Ｒ波（もしくはフォトプレチスモグラフのタイミング）トリガ集合平均またはＥＣＧ  Ｒ波（もしくはフォトプレチスモグラフのタイミング）トリガ移動平均によって処理することができる。
【００７０】
いくつかの実施形態において、上記ストリップ型もしくはハンドルバー型センサは、ユーザの手に接触するように構成されている２電極ＥＣＧ回路を含む。いくつかの実装において、２電極ＥＣＧ回路は、アンプ飽和問題を低減するために一方の電極にアクティブな電流のフィードバックを使用し、ＥＣＧ記録についてより高い信号品質を提示する。検出されたＥＣＧ特性は、次に、ＢＣＧの信号品質を向上するように、適応的なフィルタリング、集合平均、さもなければ、体重計の力センサから測定されるＢＣＧ信号の処理に使用され得る。
【００７１】
ある実装において、ＥＣＧもしくはフォトプレチスモグラフ（もしくは、他の参照信号）は、ピークの検出または鼓動のセグメンテーションの要件もしくは必要性、あるいは、Ｒ波検出手段の使用を軽減するように、ＢＣＧを推定するために適応的にフィルタリングされる。ある実装において、ＥＣＧもしくはフォトプレチスモグラフ信号は、直接的に、適応フィルタに供給される。当該フィルタは、ＥＣＧもしくはフォトプレチスモグラフのピーク検出をまったく必要とせずに信号の最適な最小二乗推定を形成するために、所望される応答として未処理のＢＣＧ信号である出力を有する。ある実装において、最小二乗アルゴリズムは適応フィルタの重みを適応するために使用される。装置のユーザのための最適な解へフィルタが収束するように、遅い収束速度が選択され得る。
【００７２】
特定の実装は、ＢＣＧ信号を取得し、処理するためにカスタマイズされた電子回路を有する体重計の使用を含む。体重計のユーザは、体重計の上に載る。重さが計測され、時間の関数として記録される。測定の感度は、生成された／記録された信号が所望されるＢＣＧ信号を含むように、重さ及びサンプル速度の両方に適合する。（呼吸、ユーザの動き、振動及び／もしくは電気的な雑音などの力の分散のいくつかの他のソースと比較して、）比較的小さいＢＣＧ信号のために、本開示の態様は、上記ソースの１つもしくは複数に関連して、ＢＣＧを検出することに関する。いくつかの実装において、ＢＣＧ信号の振幅は、ユーザの体重に基づいて、運動エネルギーの移転に基づいて、修正される。様々な体重計は、市販のものであろうが、カスタマイズされたものであろうが、ＢＣＧ信号を取得するように、様々な例示的な実施形態と共に実装され得る改造がされてよい。例えば、イリノイ州バノックバーンのオムロン・ヘルスケア株式会社のオムロンＨＢＦ−５００体組成モニタ／体重計を１つもしくは複数の例示的な実施形態と共に実装してもよい。
【００７３】
他の例示的な実施形態は、体重計のプラットフォームに統合されている、取り外し可能なユニットである、もしくは、体重計に接続されている別個のユニットである、ＥＣＧ及び／もしくはフォトプレチスモグラフ・センサを有する体重感知計を含む、上記ＢＣＧシステムに関する。ある実装において、ＢＣＧ取得装置は体重感知計に統合され、補助センサはハンドルバーの電極に統合される。電極及び補助センサは、ユーザの心電図（ＥＣＧ）もしくはフォトプレチスモグラフィ特性の少なくとも一方を検出する。処理回路は、ユーザの滴定ケア（例えば、（医師の診察による）薬剤の投与量の調整もしくは臨床通院の必要性の通知と共に、）などのユーザの治療の必要性を判断するために、心拍出量及び心拍血液量の少なくとも一方の使用を提供するために、所定の時間、出力ＢＣＧ信号を生成する。
【００７４】
ある実装において、ＢＣＧ取得装置は体重感知計に統合されており、補助センサは、体重計のプラットフォーム、取り外し可能なモジュール、もしくは有線または無線によって体重計に接続されている別個のモジュールの少なくとも１つに統合されている。補助センサは、ユーザのフォトプレチスモグラフィ特性を検出する。本開示のある実施形態と矛盾せず、取り外し可能なＰＰＧを足首に使用することができる。これは、ユーザの足からの信号が弱い（例えば、真性糖尿病による微小血管障害）場合に、特に、有用であり得る。したがって、足首はＴ２測定の代替的なサイトを提供することができる。
【００７５】
図を参照すると、図１Ａ及び図１Ｂに描画されているユーザは、体重計ベースのシステムの上に位置している。体重計は、力／重さセンサを含む（図１４Ａ）。このセンサは、処理アレンジメントに送信される電気信号に変換される体重の変動を検出するように構成されており（図３）、従来の体重計によって提供されるような、ユーザの体重を提供するためにも使用され得る。
【００７６】
補助入力（図１４Ａ）は、力の感知を限定するための追加情報を提供する。これらの入力は、システムにさらに組み込まれてもよい、例えば、鼓動センサ、足から足へのインピーダンス心拍動曲線センサ、ユーザ動きセンサなどによって提供される信号を含む。いくつかの実装において、インピーダンスのプレチスモグラフィもしくはフォトプレチスモグラフィのセンサを信号の処理を改善するために使用してもよい。
【００７７】
他の実装は、相関を有する心臓関連情報及び相関を有さない身体の動き雑音を測定し、動きアーチファクトを除去するための補助的な非接触変位センサを用いることなどによって、動きのアーチファクトに対処することに関する（図１４Ｃ）。心臓の信号を改善するために、身体の動きの絶対的なもしくは相対的な変化を測定するために、光もしくは音響放出手段／検出手段を有するセンサなどの変位変換手段を用いることを、そのような実装は含む。動きアーチファクトを除去するための他のアプローチは、個別の歪みゲージに、もしくは、異なる動き軸を取得するためにブリッジ回路を切り替えることによって、マルチチャンネル・サンプリングを用いることを含む。
【００７８】
処理アレンジメントは、外部からの雑音もしくはセンサからの信号への干渉を除去するために、補助入力及び様々なフィルタリング・アルゴリズムを使用するために、構成されている。この処理／フィルタリングの結果は、ＬＣＤディスプレイもしくはローカル・メモリなどの出力に送信されてもよい。この情報は、システムを用いて患者が記録する、遠隔地の医師によるアクセスのためにアップロードする、などのために、記録可能な形態で提示されてもよい。いくつかの例において、出力は、体重計からの出力データを受信する１つもしくは複数の記憶装置に接続されているネットワーク（例えば、イーサネットもしくはワイヤレス）に出力を提供するネットワーク・インターフェイス・タイプの装置を含む。他の例においては、出力は１つもしくは複数のユニバーサル・シリアル・バス（ＵＳＢ）接続、ポイント・ツー・ポイント（非ネットワーク）無線リンク、リムーバブル・メモリ・カード・デバイス、非接触カード・デバイス、もしくは、異常な心機能が検出されたことを示す（例えば、医師に連絡するよう患者に警告する）比較的シンプルな表示手段を含む。
【００７９】
ある実装によれば、ＥＣＧ信号（単一もしくは複数の誘導）は、体重関連検出（例えば、上記体重変動）によって同時に記録され、検出された体重関連状態と共に補助的な入力状態として使用される。これらの記録からの信号は、未処理の体重測定波形からＢＣＧ信号の最適な最小二乗推定を判断するために、補助信号を適応的にフィルタリングすることなどによる、適応フィルタリングを使用して組み合わされる。このアプローチは、これらの波形の雑音成分は統計的に独立であるが、ＥＣＧ及びＢＣＧ信号は、時間的に、相互に関連を有するという事実を活用する。
【００８０】
他の実装において（図１４Ｂ）、鼓動（例えば、ＥＣＧもしくはフォトプレチスモグラム）トリガ集合平均がＢＣＧ信号の品質及び一貫性を強化するために使用される。このような技術は、複数の異なる技術のいずれかを使用して、心臓の収縮を容易に検出する能力を補強する。検出された心臓の収縮は、次に、集合平均を使用するために検出されたＢＣＧ測定の関連する部分を選択するために使用される。例えば、集合平均はＢＣＧ信号の雑音を低減するために使用されてもよい。
【００８１】
様々な実装において、平均最小二乗アルゴリズムを用いた適応フィルタリング・アプローチが、参照としてＥＣＧ信号を使用して、ＢＣＧ信号から雑音を除去するために使用される。ＢＣＧ信号は、トリガとしてＥＣＧ  Ｒ波を使用した集合平均である。この集合平均は静的であっても（いずれかのデータセットの１つの平均であっても）よいし、動的であっても（同期移動平均であっても）よい。さらに、呼吸信号は、ＢＣＧからの呼吸の適応的な雑音除去のための参照として使用されてもよい。あるアプリケーションにおいて、図１４Ａのシステムは、ＢＣＧ信号を取得するために使用される他の装置を、体重計による信号の機械的なフィルタリングと切り離すために、計装共振を取り除く自己較正のために構成される。
【００８２】
図１４Ａは、本開示の他の例示的な実施形態と矛盾しない、ＥＣＧ及びＢＣＧ検出の両方を含む心機能を検出するシステムのブロック図を示す。システムは、図１と関連して上記したものと同様に、さらに、ユーザの心臓の状態を検出するために、ＥＣＧ及びＢＣＧの両方を用いた上記例と共に、使用し得る。体重計型のＢＣＧセンサ装置は、体重計型装置で検出されたＢＣＧ特性と関連して使用されるＥＣＧ特性を検出するＥＣＧ型ハンドヘルド・センサを含む。ＢＣＧセンサ装置からの出力は、ユーザの心臓ベースの状態を判断するために、出力及びそこで検出されたＥＣＧ及びＢＣＧ特性を処理するプロセッサに送信される。様々な実装において、ブロックで示される、１つもしくは複数のセンサ（例えば、ＢＣＧベース信号及びＥＣＧベース信号の一方もしくは両方の雑音を除去するために使用される振動センサなど）もプロセッサに接続されている。プロセッサは、心臓ベースの状態の判断の部分として入力を使用する。
【００８３】
様々な実施形態と関連して、ここに記載される取得された信号は、様々な異なるタイプの情報を導出／観察する際に使用される。情報は、心拍数、（心拍出量と相互に関連を有する）心臓からの血液の放出力、電気的な脱分極から心室の機械的な収縮までの時間遅延、（興奮収縮連関に関連する）心臓の電気的なアクティビティと機械的なアクティビティとの間の関係、上行大動脈の加圧、将来の心臓の健康状態の傾向の予測、及び／または、非侵襲性血流及び血圧測定を含むが、これらに限定されるものではない。
【００８４】
本開示の様々な態様は、手が空いている訓練された技術者もしくは医師がいることが現実的ではない、家庭もしくは他の場所での使用に関する。ある実装において、市販されているバスルームの体重計もしくは椅子から同時に取得されるＢＣＧ及びＥＣＧ記録は、信頼できるＢＣＧ取得のためのコンパクトで安価なプラットフォームで、心血管疾病の家庭での観察を促進するために使用される。ＢＣＧ測定を家庭での高血圧患者の長期にわたる管理のために実装し得る。
【００８５】
図３は、本開示の他の例示的な実施形態と矛盾しない、市販の体重計からＢＣＧ信号を取得する回路を示す。回路は、体重計からＢＣＧを取得する。オムロンＨＢＦ−５００などのような市販の体重計の歪みゲージは、ホイートストン・ブリッジの構成でアレンジされている。ブリッジは＋／−９ＶのＤＣ電圧によって励起され、ブリッジをわたる差動電圧は、組み込みフィードバック（ＬＴ１０１４Ｃ）を用いてＤＣを遮蔽する計装アンプ（ＬＴ１１６７）によって増幅される。このＤＣを遮断する計装アンプのステージからの出力は、次に、バンドパス・フィルタによってフィルタリングされ、さらに、増幅される。回路の利得は９０ｄＢであり、高解像ＢＣＧ取得に十分なバンド幅を有する。
【００８６】
図３によって描写される特定の回路は、同様の機能を提供するために使用され得る複数の異なる実装の例示である。本開示の他の態様と同様に、様々な機能が、専用のソフトウェア、プログラマブル・ロジック・デバイス、ディスクリート回路及びこれらの組み合わせによって構成される汎用目的コンピュータの組み合わせによって実装され得る。
【００８７】
以下の記載は、様々な例示的な実施形態に関連して、ここに添付される様々な付録を参照する。付録の各々は、参照によってここに完全に含まれる。
【００８８】
２００９年１０月１４日に出願された米国特許出願第１２／５７９，２６４号に添付されている付録Ｂ（ＩＥＥＥ  ＥＭＢＳ  ２００９  議事録）を参照する、本開示の態様は以下の例示的な実施形態の１つもしくは複数に適用されるような、ＢＣＧ信号推定及びＢＣＧを用いた心収縮評価に関する。
１．ＢＣＧ「脈拍応答」は、単一の鼓動よりも長い期間存続することができる被験者の各々のＢＣＧ特性として定義される。脈拍応答は、例えば、心臓によって放出された血液の脈拍に対する動脈及び身体の機械的応答を含むことができる。これらの機械的構造は、血液のこの最初の脈拍の後、長く振動を継続し得る。これにより、平均的なＢＣＧ応答は、単一の鼓動よりも長い期間を有する。この背景において、脈拍応答は、ＢＣＧ応答が取得される被験者の態様を特徴付ける際に使用される。
２．ＥＣＧ  Ｒ波のタイミングは、ＢＣＧの「短窓」の集合平均を計算するためのタイミング参照として使用される。この短窓の平均は、次に、全記録のＢＣＧ鼓動の各々の振幅を推定するために使用される。ＢＣＧ鼓動は、次に、「長窓」処理によってＥＣＧタイミング参照を用いて、再度、セグメント化される。これらの長窓の鼓動は、次に、ＢＣＧ鼓動の各々から周辺鼓動を差し引いた後、平均化され、干渉除去長窓ＢＣＧ脈拍応答が取得される。
３．ＥＣＧ  Ｒ波及びＢＣＧ  Ｊ波の間の間隔（Ｒ−Ｊ間隔）は、心収縮の変化と逆相関を有する。Ｒ−Ｊ間隔は、より収縮が大きいとＲ−Ｊ間隔はより小さくなり、より収縮が小さいとＲ−Ｊ間隔はより大きくなる。
４．鼓動の各々の信号対雑音比（ＳＮＲ）は、正規化された集合の相関を用いて検出され、いくつかの実装において、Ｒ−Ｊ間隔は比較的低いＳＮＲを有する鼓動については無視される。
５．対象の各々の前駆出期（ＰＥＰ）及びＲ−Ｊ間隔の間の間隔時間は、動脈の柔軟さを特徴付けるために使用される。（例えば、柔軟なパイプより早く音波を伝播する硬質なパイプに類似するように、）柔軟な動脈が少ないことは、被験者の心臓での血液の放出と足で検出される機械的な波との間の短い伝播遅延によって、検出され、識別される。
【００８９】
２００９年１０月１４日に出願された米国特許出願１２／５７９，２６４号に添付された付録Ｄ（家庭観察のためのロバストなＢＣＧ取得）を参照して、本開示の態様は以下の例示的な実施形態の１つもしくは複数に適用されるように、家庭でのＢＣＧ取得に関する。
１．ＢＣＧ信号は、家庭で心不全である患者の健康状態を観察するために使用される体重計の体重測定値と共に使用される。ＢＣＧ信号は、心拍出量の変化を推定することによって、潅流の変化の測定を提供するために使用される。体重計測値は、体液貯留による体重変換を推定することによる滞留の推定を（例えば、同時に）提供することができる。被験者は潅流なしの滞留、滞留なしの潅流を有し得るので、人の心臓の健康状態の所望される評価を提供するために、これらの測定値の両方を組み合わせてもよい。
２．フォトプレチスモグラフ及びＥＣＧ信号は、ここで取得されるようなＢＣＧ信号を平均化するため、もしくは、フィルタリングするために使用される。
３．鼓動毎のＢＣＧ振幅（Ｊ波）は、波が適用される特定の鼓動について、一回拍出量を特徴付けるために使用される。
４．ＥＣＧ  Ｒ波のタイミングは、「短窓」集合平均ＢＣＧを計算するためにタイミング参照として使用される。短窓平均は、次に、全記録のＢＣＧ鼓動の各々の振幅を推定するために使用される。ＢＣＧ鼓動は、次に、「長窓」処理によって、ＥＣＧタイミング参照を使用して、再度、セグメント化される。これらの長窓鼓動は、次に、ＢＣＧ鼓動の各々から周辺鼓動を差し引いた後平均化され、干渉除去長窓ＢＣＧ脈拍応答が取得される。
【００９０】
２００９年１０月１４日に出願された米国特許出願第１２／５７９，２６４号の付録Ｆ（Valsalvaの論文）を参照すると、本開示の態様は、以下の例示的な実施形態の１つもしくは複数に適用可能なバルサルバ法を用いることに関する。
１．ＢＣＧ測定値は、心血管系から様々な期待される反射を引き出すために、バルサルバ操作の間に、取得される。バルサルバ操作に対する応答は、疾病もしくは状態を診断するために使用されてもよい。例えば、以前心筋梗塞であった患者は、緊張から解放された後、ＢＣＧ振幅が増加しないかもしれないが、健康な被験者であれば、ＢＣＧ振幅が増加する。ＢＣＧ振幅は、このように、観察され、そのような状態を識別するために使用されてもよい。
２．同時にＥＣＧを利用することができない場合、ＢＣＧ  Ｊ波の立ち上がり時間が、心収縮の変化の指標として使用される。
３．ＢＣＧ信号の周波数領域分析が実行され、ＢＣＧのパワー・スペクトル密度の高周波パワー対低周波パワーの比率を調べることによって、心収縮の状態の指標を提供するために使用される。
【００９１】
２００９年１０月１４日に出願された米国特許出願第１２／５７９，２６４号に添付されている付録Ｇ（ＥＣＧ計測のための２電極のバイオ信号アンプ）を参照する、本開示の態様は、以下の例示的な実施形態の１つもしくは複数に適用可能なＥＣＧの測定に関する。ＥＣＧは、差異が低い入力インピーダンスに導き、取得の間のケーブルの動きによって生じ得るマイクロホンのケーブル雑音を軽減する、トランスインピーダンス・アンプの前端を使用して、「電流モード」で計測される。
１．電流のフィードバックは、出力信号の低周波変動を検知する非反転積分器を用いて入力端子に送信され、入力の同相電圧を安定化し、アンプ飽和及び（一般的な３電極とは異なる）２電極のＥＣＧ記録が一般に遭遇する他の所望されない問題を避けるために使用される。
２．マイクロパワー・オペアンプは、バッテリが数年の間継続的に装置を動作させることができるように、所望される電流（例えば、３．９マイクロアンペア）の消費を促進するために、複合アンプ設計によって押し上げられるバンド幅で使用される。
３．リードコンデンサは、信号のアナログデジタル変換でサンプリングするナイキスト周波数の減衰の程度がより大きくなるように、回路の全体的な閉ループ応答に二次的によりシャープなロールオフを設定するために、複合アンプの第１段において使用される。
４．抵抗が入力オペアンプの非反転端子に配置され、この端子をグランドに接続し、２つの入力端子の同相モード入力インピーダンスを適合させる。このアプローチは、例えば、最適化されている（例えば、所望される）同相モードの除去率を促進するために、使用され得る。
５．ＥＣＧ回路は、ＢＣＧ信号の平均化のためのＲ波タイミング参照を提供するために、市販の体重計のハンドルバーの電極に埋め込まれる。
６．ＥＣＧ回路は、頭皮からの脳波図（ＥＥＧ）などの、他のバイオメディカル信号を取得するために使用されてもよい。
【００９２】
本開示の態様は、ＢＣＧ体重計の上に起立している間、動きを体系的に識別するために使用され得る雑音信号参照に関連する。シチュエーションのいくつかにおいて、患者の動きは、許容できない数の雑音を含むＢＣＧのセグメントに導く。ＢＣＧ力信号レベルは、数ニュートンのオーダーの大きさである。身体の動きは、同様の大きさ及びより大きなオーダーの雑音アーチファクトを容易に生成する。ＢＣＧ信号レベルのオーダーの雑音は、ＢＣＧ信号だけから検出することは困難であり得る。例えば、体重計に起立している間に、身体の動きを計測するために、歪みゲージの補助セット及びアナログ・アンプを使用することができる。
【００９３】
本開示の実施形態と矛盾せず、動き信号は、重量配分の変動を測定する補助歪みゲージを使用して、ＢＣＧ体重計から取得されてもよい。本開示の実施形態と矛盾せず、動き信号は、重量配分の変動を計測している間、患者の体重を計測するためにセンサ・サーバを使用してＢＣＧ体重計から取得されてもよい。
【００９４】
起立している被験者の動きを倒立振り子としてモデル化してもよい。身体の動きは、前後の重量配分変化に強い相関を有し、起立してＢＣＧを測定する場合に、雑音参照技術として使用することができる。
【００９５】
本開示の特定の実施形態と矛盾せず、４つの荷重計を、ＢＣＧ及び動き測定値を同時に提供するために使用することができる。荷重計の各々は、機械的な片持ちビームに取り付けられている金属製の歪みゲージ（例えば、タニタの歪みゲージ）を含む。他の歪みゲージ（例えば、３５０  Ｘ  オメガ  メタリック  ＳＧＤ−７３５０−ＬＹ１３、オメガ  エンジニアリング株式会社、コネチカット州スタンフォード）を使用してもよい。例えば、片持ちビームの、オリジナルの歪みゲージとは反対の側に、他の歪みゲージを配置してもよい。このように、ビームの偏差は、一方の歪みゲージ・セットの引張歪み及び他方の歪みゲージ・セットの圧縮歪みを表す。
【００９６】
本開示の様々な実施形態では、補助歪みゲージが、ＢＣＧを記録するために、詳細には、ホイートストン・ブリッジを構成する歪みゲージに追加される。センサは、片持ちビームに搭載するために利用可能な物理的空間に関連するサイズにしたがって、選択し得る。
【００９７】
本開示の実施形態によれば、他の歪みゲージのための動き検知回路は、１０００倍の利得を有する計装アンプ及びサレンキー・ローパス・フィルタ（２次、２４Ｈｚカットオフ）を含む。他の歪みゲージは、前後の動きを検出するためにハーフブリッジ配置に配線されることができ、出力は、適切な（例えば、１ｋＨｚ）サンプリング・レートで、ＢＣＧ及び心電図（ＥＣＧ）によって同時に記録され得る。
【００９８】
図１４Ｃは、本開示と矛盾しない、測定セットアップ全体のブロック図を示す。ユーザが起立している図示の装置は、専用に設計されてもよいし、ＢＣＧ及び身体の動きを示す信号を測定するために改造されたバスルームの体重計であってもよい。人間のバランスは、フォース・プレートを用いた前後平面における質量中心（ＣＯＭ）の位置の変化を測定することによって定量化され得る。真のＣＯＭの動きは、ＣＯＭと方向及び振幅を共に追跡する重量シフト信号とを示す、フォース・プレートの圧力信号の変化と相関性を有し得る。この相関についてのさらなる詳細については、参照によってここに完全に組み込まれている非特許文献４２を参照することができる。
【００９９】
（詳細を以下に記載する）実験的なセットアップについて、改造されたバスルームの体重計は、動き信号を示すために前後ＣＯＭ重量シフトを測定するために構成されていた。
【０１００】
本開示の態様は、システムがＢＣＧ記録システムの周波数応答全体について特徴付けられ得ることを認識する。一般的に、データ・バンド幅は、回路によって限定され、機械的なバンド幅は体重計の剛性及び制動によって限定される。較正は、記録システムの応答（例えば、システムが線形性を提供するか否か）を決定するために使用され得る。体重計及び歪みゲージの機械的な周波数応答は、（例えば、負荷を変えた）一連のインパルス応答測定値によって推定される。体重計プラットフォームのバンド幅はＢＣＧを測定するために十分であるべきである。
【０１０１】
本開示の実施形態は、過剰な動きによって破壊されるＢＣＧのセグメントにフラグを立てる動き信号導出雑音計量に関する。この実施形態は、以下のように計算される雑音指標を使用することができる。：まず、ベースライン記録を、動き信号の「通常」のＲＭＳレベルを設定するために使用する。この「通常」レベルを、被験者特定の閾値（例えば、「通常」レベルの２倍）として設定するために使用することができる。閾値より高くなると、ＢＣＧのトレースが雑音によって破壊されると考えられる。結果として、動きが閾値よりも大きいＢＣＧの期間は、雑音指標について「高」と考えられ、それ以外の場合、「低」と考えられる。
【０１０２】
本開示の他の実施形態と矛盾せず、被験者特定でない、固定された閾値をベースライン記録を使用せずに全ての記録について設定してもよい。例えば、固定閾値は、すべての被保険者について測定された平均的な被験者特定の閾値として設定されてもよい。被験者特定の両方を使用して、雑音を含む鼓動を雑音指標及びＳＮＲ改善に基づいて除去することができる。
【０１０３】
実験の結果及び様々な特定の実施形態のさらなる詳細については、参照によってここに完全に含まれる添付の付録１（改造されたバスルームの体重計で測定される心弾動図における動きアーチファクトの自動検出）を参照することができる。付録１の様々な実験結果、実施形態及び説明は、限定を意図するものではない。
【０１０４】
以下の実験的な方法及びマテリアルが以下でさらに記載される例で使用される。
【０１０５】
データは複数の鼓動を取得するために十分な期間（通常は、５秒間〜３０秒間）にわたって取得される。このデータは、タイム・トレースとして知られている。タイム・トレースは、ＢＣＧ、ＰＰＧ、及び心電図（ＥＣＧ）について取得される。
【０１０６】
ＢＣＧ及びＰＰＧ信号は、略０〜２０Ｈｚのバンド幅の関連情報を含み、タイム・トレースは、この範囲の及びこの範囲の上の情報を含む。この範囲の外側の周波数成分（例えば、ＡＣ電源の６０Ｈｚ雑音）は雑音とみなされ、除去されてもよい。体重計の機械的な周波数応答は、その合成の関数であり、ＢＣＧの機械的な動作を変換するためにフロアに接続されている。デジタルＦＩＲフィルタが、低周波数成分だけを残すために、２５Ｈｚでタイム・トレースをフィルタリングするローパス・フィルタに使用される。
【０１０７】
体重計の機械的な剛性は、０〜２０ＨｚのＢＣＧ信号を収集する能力にリンクすることが発見された。体重計の構造及び／もしくは床との接触が十分な剛性を有しない場合、アナログＦＩＲフィルタが適切に設定されていたとしても、ＢＣＧは弱められるかもしれないし、歪められるかもしれない。体重計が表面と適切に結合されているか否かは、ＢＣＧを取得するための能力に影響を与える。例えば、絨毯には問題がある。したがって、本開示の態様は、体重計及び絨毯の間に剛性を有するプレートを配置することは有効であり得ることを認識している。
【０１０８】
ＥＣＧは、ＢＣＧ及びＰＰＧタイム・トレースを個別の鼓動にセグメント化するべき場所を識別するためのタイミング参照信号として使用される。ＥＣＧは、ＢＣＧ及びＰＰＧにおける雑音の存在にあまり影響されず、ＥＣＧ  Ｒ波のタイミングは、ソフトウェア・アルゴリズムによって容易に識別することができる。Ｒ波のタイミングが検出されると、ＢＣＧ及びＰＰＧ信号を個別の鼓動にセグメント化するためにそれらのタイミングを使用することができる。鼓動は、固定されたフレームが鼓動の周囲に描画される「窓」によってセグメント化される。例えば、我々は１秒間を１つの窓の長さとして選択することができる。Ｒ波のタイミング・ポイントの各々について、（集合として参照される）複数の鼓動毎にタイム・トレースを「切断」するために、１秒間の窓がＢＣＧ及びＰＰＧタイム・トレースの上のＲ波タイミング・ポイントに配置される。集合の各々について、どの程度の鼓動情報が要求されるかに応じて、より短い窓もしくはより長い窓を使用することができる。
【０１０９】
鼓動識別のための代替方法は、異常な身体の動きを検出するために体重計に埋め込まれている参照センサに基づいて雑音を含む鼓動を識別することである。この方法は、ＥＣＧを必要としない。鼓動は、ＢＣＧのタイミング特徴を抽出するための固定フレームを提供するために足ＰＰＧ信号タイミングを用いて、「リバース窓」によってセグメント化される。鼓動が窓に分割されると、雑音を含む鼓動（ＢＣＧ及び／またはＰＰＧ）は、所定の閾値を越える信号レベル及び身体動き参照信号のタイミングに基づいて、分析から除去されてもよい。体重計の動きセンサは、集合平均方法から導出され得る雑音の量と高い相関を有し、代わりの雑音参照であることが確認されるように、信号を測定するための手法で構成される。この手法において、ＰＷＶ判断は、体重計のみによる実施形態から取得されてもよい。体重計に起立することによって、分析の鼓動を選択し、及び、除外するために必要な全てのデータを収集する。
【０１１０】
ＢＣＧもしくはＰＰＧ集合（例えば、ＢＣＧ  Ｉ波）のキー・タイム・ポイントの推定を取得するために、ＢＣＧ及びＰＰＧ鼓動は、（一方は、ＢＣＧについて、他方はＰＰＧについて、）集合平均を生成するために平均化される。
【０１１１】
ＢＣＧ鼓動からＩ波タイミングを抽出するために、ＢＣＧのＪ波の最初の左側極小値が検討される。Ｊ波の正確な検出は、期待されるＪ波の位置に最も近い極大値を検出することによって達成される。期待される位置は、ＢＣＧ鼓動の集合平均における最大の極大値の位置として定義される。
【０１１２】
ＰＰＧについて、ＰＰＧの裾はＰＰＧ鼓動のピーク、その左側に立ち上がる圧力波の傾斜、立ち上がる傾斜の左側の最初の極小値におけるゼロ傾斜を検出することによって識別される。これらの２つのラインの交差は、圧力がＰＰＧ波形において上昇し始めるときを示す。他の実施形態では、信号の派生バージョンに基づく方法などの、圧力上昇の開始を抽出するための様々な他の方法を使用することができる。
【０１１３】
正確さを改善するために、特徴識別は、個々の鼓動について実行され、次に、全ての鼓動にわたって平均化される。代替的に、特徴識別は、集合平均されたＰＰＧもしくはＢＣＧで実行される。
【０１１４】
ＢＣＧ  Ｉ波及びＰＰＧ足タイミングの両方が取得されると、それらの差異（ＰＰＧ−ＢＣＧ）がＰＴＴを取得するために計算される。大動脈と足との間の距離が測定される。次に、ＰＷＶが、ＰＷＶ＝距離／ＰＴＴによって計算される。
【０１１５】
ＰＷＶもＰＴＴも、（圧力対圧力タイミングではなく、圧脈拍時間へのＲ波である）ＰＡＴと同一ではないことに留意されたい。
【０１１６】
指に取り付けられている第２のＰＰＧセンサが使用されるならば、下行大動脈に沿った脈波速度及び四肢末梢の脈波速度の推定が提案され得る。大動脈と指との間の距離（Ｌａｒｍ）、大動脈と骨盤との間の距離（Ｌｔｒｕｎｋ）、骨盤と足との間の距離（Ｌｌｅｇ）が既知であると仮定すると、指までの脈拍移動時間（ＰＰＴｆｉｎｇｅｒ）及び足までの移動時間（ＰＰＴｆｏｏｔ）が上記された方法を用いて測定され、以下の導出がなされる。
【数３】
0005955341.tif 000004
【０１１７】
腕及び足の脈波速度の関係は、関数ｆＴＦによって与えられる。一次近似において、これらの２つの速度は等しい（均一な末梢の速度）とみなされ、中心速度（ＰＷＶｔｒｕｎｋ）は以下のように書き直すことができる。
【数４】
0005955341.tif 000005
腕及び足の脈波速度の関係ｆＴＦは同一のものに限定されず、腕及び足の血管の差異を考慮するようにより複雑であってもよく、平均直径、脈圧、もしくは相対的な柔軟さなどのパラメータを考慮してもよい。このようなモデルは、一般的であってもよいし、患者特定であってもよい。
【０１１８】
以下の実験的な例示は、本開示の範囲を限定することを意図しない。例えば、特定の値、測定値は限定することを必要とせず、一般的に、変更することが可能であることが理解されるだろう。
【０１１９】
ＢＣＧが大動脈弓で作用する圧力によって生成される力のピークに関連するので（非特許文献２４）、心弾動図（ＢＣＧ）が最初のタイム・ポイント参照（例えば、頸動脈圧の代わりの測定値）として使用される。この関係は、ＢＣＧ及び頸動脈の脈波を同時に測定することによって経験的に導出されてもよい。
【０１２０】
図１０は、指及び足指でＢＣＧの末梢ＰＰＧ信号に対するタイミングの関係を示す。ＥＣＧは心臓の拍動の１サイクルの動作の開始を示す。ＢＣＧは、初期収縮の心臓駆出の直後に開始し、末梢の圧波はＰＰＧによって記録される。ＢＣＧ及びＰＰＧ足指信号の開始の間の遅れは、圧脈波時間を定量化する。
【０１２１】
図１０に示されているタイミングの関係は、指及び足のフォトプレチスモグラム（ＰＰＧ）の両方に先立ってＢＣＧ脈拍が開始されることを示している。この例では、ＢＣＧのＩ波は、ＰＰＧ指及び足信号のベースに、各々、１０ｍ秒及び１２０ｍ秒先立って開始する。ＢＣＧのＪ波は、指ＰＰＧ及び足信号のピークに、各々、３０ｍ秒及び２８０ｍ秒先立って開始する。指ＰＰＧへの大動脈弓の動脈の長さは、概ね、ＰＰＧ足信号への大動脈弓の距離の半分であるが、指ＰＰＧ信号は１０倍以上速い。これは、ＰＰＧ脈拍は柔軟な大動脈、その後、腸骨分岐を越えて伸びる筋性動脈を通って下に移動するのに対し、指ＰＰＧが主要な上方の枝血管を横切るという事実によると考えられる。柔軟な大動脈はより遅い波速度を有する。したがって、ＰＰＧ足脈拍の到着時間は、指ＰＰＧと比較して、移動する経路長さの差異に直接比例しない。しかしながら、指ＰＰＧは主に末梢の速度（筋性動脈の速度）を反映するので、下行大動脈の特定の速度を推定するために、直接的にもしくは間接的に、使用することができる。実際、指ＰＰＧから導出される末梢の速度は、下方の四肢（末梢速度）での移動に使用された足ＰＰＧと下行大動脈（中心速度）での移動に使用された足ＰＰＧとの対比と共に、どの程度の時間、脈拍が記録されたかを評価するために使用されてもよい。上記したように、腕及び足の脈波速度の関係は同一であってもよいし、比例してもよいし、平均直径、脈圧、もしくは相対的な柔軟さなどのパラメータを考慮したより複雑な血管モデルに基づいていてもよい。このようなモデルは一般的であってもよいし、患者特定であってもよい。
【０１２２】
タイム・ポイントＴ１のより近接した観察を図６に示す。頸動脈の脈波は、ＰＰＧセンサの反射率によって測定され、起立状態でのＢＣＧ測定は同時に取得され、駆出の開始時に相互にたいへん近接して（円によって境界を確定されているＴ１）開始する。非特許文献２４に記載されているように、ＢＣＧは２つの重要な特徴を有する：（１）ＢＣＧ力は大動脈壁に働く圧力に概ね全体的に関連し、（２）ＢＣＧ力のピークの生成は大動脈弓で検出される。したがって、ＢＣＧ  Ｔ１タイム・ポイントは、従来Ｔ１タイム・ポイントが登録される頸動脈に十分近い大動脈弓の圧力に関連すると考えられる。結果的に、図５に示されるＴ１のＢＣＧタイミング及び距離の関係は、頸動脈の脈圧開始ポイントを示すために適切であると考えられる。
【０１２３】
ＢＣＧベースの脈波法は血管の剛性が調整される手法で確認される。このセットアップにおいて、ＢＣＧは改造されたバスルームの体重計で記録され、継続的な血圧測定が、バルサルバ操作を実行する対象によってポータプレスの携帯型血圧モニタを用いて記録される。操作は、（１）休憩、（２）負荷、（３）解放の３つのインターバルによって区分される。休憩フェーズは通常の血圧を示す。負荷の間、対象は、収縮血圧の減少として現れる心臓へ戻る静脈及び心臓からの血液の放出を圧縮する息を止める。この低い圧力負荷フェーズにおいて、動脈の剛性は低く、脈波速度は減少する。解放の間、流れは心臓に戻され、心室充満は増加し、心臓は、急速にベースラインに戻る短期間の高い収縮期圧により強められた力によって縮小する。高い収縮期圧の間、動脈ツリーの剛性はより高くなり、脈波速度は増加する。図１５に示すように、バスルームの体重計のＰＷＶ（下）測定は、継続的な血圧取得（上）と共に傾く。この例では、バルサルバ操作が実行されている。これらのタイム・トレースの間の最大の相互相関は０・７３である。
【０１２４】
高血圧を管理するために、本開示の実施形態は、図１５に示されるように血圧の変化の傾向を観察するためのプラットフォームを提供する。動脈の剛性は血管の弾性係数及び血管の圧力に関連し、以下のラプラスの法則によって説明されてもよい。壁張力（Ｔ）は圧力（Ｐ）に関連し、血管の半径及び血管壁の応答はその剛性に依存する。したがって、ＰＷＶはＢＣＧ及びＰＰＧ信号に基づく血圧変化の相関パラメータとして使用されてもよく、上記したように、剛性の測定における固有の再現性によって、相関は、その正確さについて利益を得る。中心速度は四肢の速度に比較して血管緊張による影響をあまり受けないので、図２に示されるように、末梢速度に対して中心速度を切り離す能力は、方法の正確さをさらに改善することができる。
【０１２５】
家庭で観察に使用する場合の安定性
人の動脈の剛性／弾性を判断するために、人は改造されたバスルームの体重計の上に起立し、ＢＣＧ、ＩＣＧ及びＰＰＧが動脈の剛性／弾性などの中心血行力学特性を判断するために足で同時に取得される。最初の信号としてＢＣＧが大動脈弓で生じるが、足で測定される場合、伝送遅延は無視してよい。したがって、足で測定されたＢＣＧは首の頸動脈の脈拍と同様にタイミング参照として供されてもよい。このように、血管の剛性を判断するために頸動脈を測定する必要性は除去される。両方のセンサは、人が保持するシンプルなハンドルバーに容易に統合され得るので、測定の間いくつかの実施形態におけるＥＣＧのさらなる使用及び第２指ＰＰＧは、システム全体の利便性及び簡便性を変えない。
【０１２６】
図１Ａ及び図１Ｂに示すように、ＰＰＧは光センサであり、足の局所的な脈拍による血管の伸びを示す信号を記録する。正確な圧脈波形は、被験者がその上で起立している間、バスルームの体重計から取得され得る。人が改造されたバスルームの体重計の上に起立している間に、動脈の剛性／弾性を判断するためのＢＣＧ及びＰＰＧの両方の測定値は、足で同時に取得される。動脈を検出したり触診したり、プローブを適用したりする必要はないので、熟練した技術者による医療監督及び／もしくは支援の必要はない。
【０１２７】
ここで記載されている体重計ベースのシステムは、循環機能に関連するいくつかの関連信号を統合し、収集され分析されたデータはスタンドアロン・デバイス、もしくは、患者のケア・ワーカにデータを伝送するホーム・ヘルス・ネットワークのネットワーク化されている／統合されているデバイス部分としてシステムに含まれるディスプレイを経由してユーザに表示されてもよい。
【０１２８】
マッピングされる関連動脈経路
心臓から足までの経路は動脈ツリーの比較的長い部分であり、高血圧薬によって変化する経路と一致する。一般に、抗高血圧は、脚の筋性動脈の剛性を低減するために血圧を下げる。これにより、圧脈波の速度が遅くなり、引き続いて、その心臓への反射戻りが遅くなる。上記したように、必須ではないが、下行大動脈及び脚の両方に沿った速度を推定する能力は、システムの観察能力を拡張する。
【０１２９】
動脈剛性測定の安定性
起立して動脈剛性を測定する能力は、本開示の実施形態と矛盾せず、Ｔ１タイム・ポイントとして頸動脈のタイミングを使用する方法と比較することができる。図８に示されるように、人のＢＣＧ  Ｉ波タイミング及び頸動脈タイミングを同時に取得する４カ月にわたる継続的調査が行われた。各々３０秒間のデータ収集について、ＥＣＧ  Ｒ波に関連するタイミングは、頸動脈及びＢＣＧが同様の平均タイミング及び同様の測定値変動性を有していることを示している。１日目の測定値について、この実験における人はベータ遮断薬を服用し、タイミングは服用の前後で測定され、頸動脈の平均タイミング及びＢＣＧ  Ｉ波脈到着タイミング（ＰＡＴ）には大きな変化があった。継続的な脈拍移動時間（ＰＴＴ＝Ｔ２−Ｔ１）は、次に、Ｔ１のＢＣＧ及び頸動脈タイミングの両方を用いて判断され、図９に示されるように、同様であることが示されている。Ｔ２タイミングは本開示と矛盾しない実施形態を用いて足で取得される。図１２は、時間が経過するにしたがって増加する、人の年齢に対する起立している場合の脈波速度を示す。これは、動脈の剛性とも一致する。図１６Ａは人のグループにシグモコアの動脈トノメータを使用して取得した中心収縮期圧のグラフである。図１６Ｂは、中心収縮血圧に対する本開示の実施形態と矛盾しない起立している場合の脈波速度のグラフである。起立している場合の脈波速度に対する中心収縮の関係は、３．３３３ｅ０．０１１４ｘの指数フィットについて０．５５のＲ−２乗値を有する。増加している中心収縮期圧を有する波の速度における非線形増加は、動脈壁の生理的な負荷に基づいて期待される。動脈の剛性は独立した中心測定値であるため、データは高血圧を管理するための手法として心血管機能の２つの指標（例えば、動脈の剛性及び中心圧）を提供する。図１７Ａは人のグループにシグモコアのトノメータを使用して取得された中心脈圧（例えば、中心収縮期圧−中心拡張期圧）のグラフである。図１７Ｂは、中心脈圧に対する本開示の実施形態と矛盾しない起立している場合の脈波速度のグラフである。起立している場合の脈波速度に対する中心脈圧の関係は、線形フィット（傾き０．２２４１、切片４．４９７５）について０．５６のＲ−２乗値を有する。増加する中心圧による波速度の線形増加は動脈壁の生理的な負荷に基づいて期待される。動脈の剛性は独立した中心測定値であるため、データは高血圧を管理するための手法として心血管の機能の２つの指標（例えば、動脈の剛性及び中心圧）を提供する。驚くべきことに、座位及び臥位と比較して、上記観察及び相関の全てが識別される立位はこのような手法において動脈への血行力学負荷を変化させる。それゆえ、いくつかのシステムが存在し、かつ、頸動脈の脈波タイミングと時間的に関連するＴ１信号を生成することができ、一方、次の動脈の剛性の測定値は、記録がとられる姿勢に基づいて変化する。したがって、このようなシステムは循環機能の同等の測定を判断しない。
【０１３０】
中心血圧を判断するための適切さ
起立している場合の測定値を用いて、中心血圧の測定値（もしくは推定値）を起立している場合の動脈の剛性の測定値（及び年齢、性別などの患者の情報）と組み合わせると、有用で驚くべき相関が生成される。例えば、中心収縮及び中心脈圧は、高血圧の潜在的な原因を示すために、起立している場合の動脈の剛性測定及び患者の情報に関して階層化され得る。これにより診断及び治療の改善を促進する。本開示は、較正され、正確な手法において、末梢血圧を所望される中心血圧と関連付けることが有用であり得ることも認識している（図１５〜１８）。較正された（修正された）末梢の測定値は、次に、図１５及び図１８に示されるように、動脈のトノメータもしくは内圧カテーテルを使用する必要なく、相関を取得するために、使用されてもよい。
【０１３１】
理論によって限定されることなく、立位は座位及び臥位と比較して、動脈への血行力学負荷を変化させる。この負荷の変化は、脈拍移動時間、すなわち、動脈の剛性の測定を大きく変化させる（図１１）。したがって、本開示の態様は、記録をとる姿勢によって変化する動脈の剛性のタイミングの特性を利用するＢＣＧベース・システムに関する。立位は、また、動脈の剛性の測定について、異なる及び特定の関連する生理的な負荷を提供する。ここで説明される予期しない相関関係によって、循環機能及び血圧の診断及び管理を促進することができる。
【０１３２】
立位と比較した、座位のための血管特性指標の様々な他の差異も患者を観察し、もしくは診断するためにシステムによって使用される。臥位もしくは座位と比較した場合の、立位において取得される計測値との差異に関するさらなる情報については、非特許文献４３及び非特許文献４４を参照することができる。これらの各々は、参照によってここに完全に含まれる。
【０１３３】
シンプルで費用効率のよい手法における中心血圧を測定するための能力については、努力がされている最中であり、中心測定値の使用を主流とすることは臨床高血圧の次の進歩であると考えられる（非特許文献１０、頁３７）。動脈トノメータ（もしくはカテーテル）などの装置から取得される中心圧測定値がなければ、動脈の剛性の測定値は心血管機能の１つの次元を提示するだけである。そのような装置からの抗高血圧薬の効果の評価は、収縮のための２０ｍｍＨｇ（もしくはより多くの）及び拡張のための１〜２ｍｍＨｇによる利益を過少に評価するかもしれないので、中心圧測定値と比較して、末梢圧測定値は抗高血圧管理のための多くのユーティリティを提供しない（非特許文献１３、頁３６２）。過少に評価された利益は、下肢の脈波速度、放出期間及び波反射の複雑なインタラクションである、動脈の圧波の増幅の結果である（非特許文献１３、頁３６０〜３６３）。図１５は、末梢の血圧測定（例えば、上腕血圧カフ）、ユーザ情報及び本開示と矛盾しない実施形態を用いて、中心圧を決定する方法を示す。増幅効果は重量計ベース・システムによって定量化され、次に、末梢測定値を修正するために使用される。図１８Ａは、シグモコアの動脈トノメータを用いて取得される中心測定値及び末梢上腕血圧測定値の間の収縮期圧の差異を示すグラフであり、圧力差が大きいことを示している。図１８Ｂは、シグモコアの動脈トノメータを用いて取得された中心測定値及び増幅修正末梢測定値の間の収縮期圧の差異を示す。増幅修正は、本開示と矛盾しない実施形態を用いて決定される。２０〜７９歳の人々の集合について、平均的な圧力の差異は０ｍｍＨｇであり、標準的な偏差は３．１８ｍｍＨｇである。このアプローチを用いて、人は、実用的な手法で中心圧及び血管の剛性の測定値の両方を取得することができ、これにより、高血圧の管理が可能となる。
【０１３４】
上記様々な実施形態は例示のためのものであり、開示を限定するものと解釈されるべきではない。上記に基づいて、当業者は、例示的な実施形態、例示された応用に厳格にしたがうことなく、様々な変更を本開示に行うことができるであろうことを理解するだろう。例えば、このシステムのために開発されるアルゴリズム、較正及び検証方法を、ベッド及び台を含むＢＣＧ測定システムのために使用することができる。体重計による他の体重測定の構成は縦方向もしくは他の相対的な角度（座位構成もしくは臥位構成など）であってもよい。カスタマイズされた歪みゲージが、ここで記述されるのと同様の電子機器と接続される体重計の代わりに使用されてもよい。様々な実施形態のためにいくつかの代替的な電子機器の構成が使用され、それらのいくつかがロックイン・ベース回路を含んでもよい。椅子ベース回路の脚の各々の下に配置可能な体重計を配置すること、もしくは、より大きなブリッジ回路を構築することなどによって、雑音を軽減もしくは除去するために複数の体重計を使用することができる。例示的な及び実験的な実装のいくつかが参照する仮出願に添付された付録に詳細に説明されており、それらはここに完全に含まれる。この開示の教示は、例示的な実施形態の上記の多くのために付録Ａ〜Ｇで見つけることができる教示を含み、様々な教示を単独でもしくは他のものと組み合わせて実装することができる。当業者であれば、例えば、技術的な説明の重複の観点から、付録で見つけることができる教示の熟慮されているコンテキストを理解するだろう。これらの及び他の変更は本開示の真の思想及び範囲から乖離するものではない。
【０１３５】
［関連文献］
この特許出願は、２０１１年１月２７日に出願された「動脈の剛性の評価及び高血圧症の管理のためのシステム及び方法」という名称の米国特許仮出願第６１／４３６，７４０号及び２０１１年４月１５日に出願された「循環系を観察するためのシステム及び方法」という名称の米国特許仮出願第６１／４７５，８８７号に基づいて、３５ Ｕ.Ｓ.Ｃ. § １１９（ｅ）による優先権を主張する。この特許出願は、２００９年１０月１４日に出願された「心臓機能を観察するシステム及び方法」という名称の米国特許出願第１２／５７９，２６４号に関連し、米国特許出願第１２／５７９，２６４号は、２００８年１０月１５日に出願された米国仮出願第６１／１０５，６９６号に基づいて、優先権を主張する。米国仮出願第６１／１０５，６９６号は、本開示の様々な実施形態で使用するための例及び実験結果を提供する（Ａ〜Ｅの）５つの付録を含む。これらの出願及び文献は、これらの文献が様々な参照を引用する範囲で、参照によってここに全てが含まれる。
【図１Ａ】
0005955341.tif 000006
【図１Ｂ】
0005955341.tif 000007
【図２】
0005955341.tif 000008
【図３】
0005955341.tif 000009
【図４】
0005955341.tif 000010
【図５】
0005955341.tif 000011
【図６】
0005955341.tif 000012
【図７】
0005955341.tif 000013
【図８】
0005955341.tif 000014
【図９】
0005955341.tif 000015
【図１０】
0005955341.tif 000016
【図１１】
0005955341.tif 000017
【図１２】
0005955341.tif 000018
【図１３】
0005955341.tif 000019
【図１４Ａ】
0005955341.tif 000020
【図１４Ｂ】
0005955341.tif 000021
【図１４Ｃ】
0005955341.tif 000022
【図１５】
0005955341.tif 000023
【図１６Ａ】
0005955341.tif 000024
【図１６Ｂ】
0005955341.tif 000025
【図１７Ａ】
0005955341.tif 000026
【図１７Ｂ】
0005955341.tif 000027
【図１８Ａ】
0005955341.tif 000028
【図１８Ｂ】
0005955341.tif 000029